(57)【要約】本発明は、情報および/またはデータを伝送するために通信コンテキスト接続(15a、15b)が、第1のユーザ局(11)から少なくとも1つの第2のユーザ局(12)へと確立される、通信システム(10)中における追加情報の伝送のための方法に関する。追加情報は、このようにして追加情報装置(14)から第2のユーザ局(12)へと伝送される。この伝送は、定義されたフォーマットにおいてこの通信コンテキストの確立のための信号中で行われて、このコール受信の前に、テキストコンテンツ、イメージコンテンツ、またはマルチメディアコンテンツを有する電子データカードまたはIDカードとしての表示を可能にする。この伝送は、例えば追加情報を受信するための第1のユーザ局(11)の許可に応じて行われる。問合せデータが、例えばこの伝送の前に送信される。選択は、事前選択または追加コードを用いて実行することができる。
2007500460.tif 000002
【特許請求の範囲】
【請求項１】
通信コンテキスト(15a, 15b; 15a, 17a, 17b; 17a; 18a, 18b, 18c)が第1のユーザ局(11)から少なくとも1つの第2のユーザ局(12)へと確立され、情報またはデータを前記第2のユーザ局(12)へと伝送し、前記通信コンテキストをセットアップするための前記第1のユーザ局(11)からのセットアップ信号に応じて、追加情報が追加情報装置(14; 34, 35)から前記第2のユーザ局(12)へと伝送される、通信システム(10; 30; 200; 300)における追加情報の伝送のための方法において、
コールが受け入れられる前にテキストおよびイメージのコンテンツを伴うデータカードとしての表示を可能にするために、前記第1のユーザ局(11)の前記データおよび/または前記追加情報が、あらかじめ定義されたフォーマットで前記通信コンテキストをセットアップするための前記セットアップ信号内で前記第2のユーザ局(12)へと伝送されることを特徴とする方法。
【請求項２】
前記データの伝送は、追加情報を受信するための前記第1のユーザ局(11)の許可手続きに依存することを特徴とする請求項１に記載の方法。
【請求項３】
前記追加情報および/または前記第1のユーザ局(11)の前記データは、前記第1のユーザ局(11)の前記セットアップ信号中のユーザ識別表示に結合されることを特徴とする請求項１から２のいずれか一項に記載の方法。
【請求項４】
前記第1のユーザ局(11)から伝送される前記データは、データパケットの形式で提供されたときにユーザ局の少なくとも1つの記憶されたまたは選択されたユーザ識別表示に割り当てられることを特徴とする請求項１から３のいずれか一項に記載の方法。
【請求項５】
前記追加情報の伝送は、追加情報の受信のための選択機能としての前記第2のユーザ局(12)の許可手続きに依存し、
前記許可手続きは、受信される1つまたは複数の特定のタイプの追加情報について実行されることを特徴とする請求項１から４のいずれか一項に記載の方法。
【請求項６】
前記第2のユーザ局(12)のユーザ識別表示に応じて、ユーザに特有の追加情報が多数の追加情報から前記追加情報装置(14)中で選択され、かつ前記第2のユーザ局(12)へと伝送されることを特徴とする請求項１から５のいずれか一項に記載の方法。
【請求項７】
前記第2のユーザ局においてデータカードとして表示されるために、前記追加情報は、テキストデータ、イメージデータ、ビデオデータ、またはオーディオデータの形式の広告を含み、かつ定義されたフォーマットで伝送されることを特徴とする請求項１から６のいずれか一項に記載の方法。
【請求項８】
前記追加情報は、前記第1のユーザ局(11)から伝送される前記データと交互に前記第2のユーザ局(12)のディスプレイ上で表示され、かつ接続の終了後に前記追加情報は、スクリーンセイバーの機能を果たすことを特徴とする請求項１から７のいずれか一項に記載の方法。
【請求項９】
前記受信された追加情報のタイプおよび/または存続期間に応じて、料金データおよび/または料金減額データが生成され、かつ料金メモリに記憶されることを特徴とする請求項１から８のいずれか一項に記載の方法。
【請求項１０】
前記追加情報の伝送に先立って、前記追加情報装置(14)は、前記ユーザ局(11, 12)の少なくとも一方に対して問合せデータを送信し、かつ前記追加情報は、前記問合せデータ(81, 82)に応答した前記各ユーザ局(11, 12)の応答信号(91, 92)に応じて前記第2のユーザ局(12)において表示されることを特徴とする請求項１から９のいずれか一項に記載の方法。
【請求項１１】
前記問合せデータ(82)は、前記第2のユーザ局(12)に送信され、かつ前記第2のユーザ局(12)が追加情報を受信する準備が整っているか否かを決定するように設計され、
前記追加情報は、前記第2のユーザ局(12)の前記応答信号(92)に応じて前記第2のユーザ局(12)において表示されることを特徴とする請求項１０に記載の方法。
【請求項１２】
前記問合せデータ(81)は、前記追加情報装置(14)から前記第1のユーザ局(11)へと送信される追加情報モデルの選択肢を含み、
前記追加情報モデルのうちの1つは、前記第2のユーザ局(12)へと伝送される追加情報として前記第1のユーザ局(11)において選択可能であり、
前記第1のユーザ局(11)の前記応答信号(91)は、前記選択された追加情報モデルについての情報を含むことを特徴とする請求項１０または１１に記載の方法。
【請求項１３】
前記選択可能な、または選択された追加情報モデルは、前記第1のユーザ局(11)における主題情報を入力するためのフィールドにリンクされることを特徴とする請求項１２に記載の方法。
【請求項１４】
前記第2のユーザ局(12)からの前記応答信号(92)は、続く通信接続中に前記追加情報の受信についての許可手続きを引き起こすことを特徴とする請求項１０または１１に記載の方法。
【請求項１５】
前記問合せデータ(81, 82)を送信するのに先立って、前記追加情報装置(14)は、前記第2のユーザ局(12)が、追加情報の受信についてアクティブ化されているかどうかについて自動的にチェックを行い、
前記問合せデータ(81, 82)は、前記チェックの結果に応じて、前記第2のユーザ局(12)へと伝送され、あるいは伝送されないことを特徴とする請求項１０から１４のいずれか一項に記載の方法。
【請求項１６】
前記応答信号(91, 92)に応じて、料金減額データが生成され、あるいは減額コスト通信接続、または改善された特性を有する通信接続が前記ユーザ局(11, 12)に提供されることを特徴とする請求項１０から１５のいずれか一項に記載の方法。
【請求項１７】
前記第1のユーザ局(11)において前記第2のユーザ局(12)の端末識別表示に添付される追加コードは、前記追加情報装置(14)から前記第2のユーザ局(12)への追加情報の伝送を引き起こすことを特徴とする請求項１から１６のいずれか一項に記載の方法。
【請求項１８】
前記通信接続のセットアップ中にダイアルされる、前記第2のユーザ局(12)のコール識別表示の前の特定のプレフィックスを前記第1のユーザ局(11)において入力し、または要求することにより、前記追加コードが生成されることを特徴とする請求項１７に記載の方法。
【請求項１９】
前記追加情報装置(14)は、前記追加コードに応じて多数の異なる追加情報から選択された追加情報を前記第2のユーザ局(12)へと伝送することを特徴とする請求項１７または１８に記載の方法。
【請求項２０】
前記追加コードは、製品、製品の包み、または製品およびサービスについての広告媒体に配置されることを特徴とする請求項１７から１９のいずれか一項に記載の方法。
【請求項２１】
前記追加コードは、前記第1のユーザ局(11)および/または前記第2のユーザ局(12)に割り当てられるボーナス信号を生成することを特徴とする請求項１７から２０のいずれか一項に記載の方法。
【請求項２２】
第1のユーザ局(11)と少なくとも1つの第2のユーザ局(12)との間で通信コンテキスト(15a, 15b)をセットアップし、情報またはデータを前記第1のユーザ局(11)から前記第2のユーザ局(12)へと伝送するためのスイッチングユニット(16)と、追加情報を前記第2のユーザ局(12)へと送信するための追加情報装置(14)とを備える通信システム(10, 200; 300)のための交換装置において、
前記交換装置は、テキストおよびイメージのコンテンツを伴う前記第1のユーザ局(11)の個別データカードとしてのコール受入れに先立って、前記第2のユーザ局(12)において前記データの表示を可能とするために、前記通信コンテキストをセットアップするための信号内において前記データおよび/または前記追加情報の前記第2のユーザ局(12)への伝送を引き起こすことを特徴とする交換装置。
【請求項２３】
前記追加情報を受信するための前記第1のユーザ局(11)の許可手続きに応じて、前記信号内における前記第1のユーザ局(11)からのマルチメディアデータの伝送を許可し、または防止する比較ユニットを備えることを特徴とする請求項２２に記載の交換装置。
【請求項２４】
前記第1のユーザ局(11)から発信され、かつ/または前記第1のユーザ局(11)によって引き起こされるデータストリームに前記追加情報を結合するデータ処理ユニットを備えることを特徴とする請求項２２または２３に記載の交換装置。
【請求項２５】
前記第2のユーザ局(12)のユーザ識別表示に応じて前記第2のユーザ局(12)へと伝送するために、追加情報メモリに記憶される多数の追加情報から特定の追加情報を選択する追加情報選択装置を備えることを特徴とする請求項２３から２４のいずれか一項に記載の交換装置。
【請求項２６】
前記ユーザ局が前記追加情報を受信するようにアクティブ化されているかどうかに応じて、前記ユーザ局当たりの料金データおよび/または料金減額データを登録する料金ユニットを備えることを特徴とする請求項２２から２５のいずれか一項に記載の交換装置。
【請求項２７】
前記ユーザ局(11, 12)のうちの少なくとも１つに問合せデータ(81, 82)を送信するための問合せユニット(14b)と、
前記問合せデータ(81, 82)に応答して前記各ユーザ局(11, 12)から受信された応答信号(91, 92)に応じて前記第2のユーザ局(12)に対する前記追加情報の伝送を引き起こす選択回路(14c)とを備えることを特徴とする請求項２２から２６のいずれか一項に記載の交換装置。
【請求項２８】
前記問合せデータ(82)は、前記第2のユーザ局(12)へと送信され、かつ前記第2のユーザ局(12)が前記追加情報を受信する準備が整っているか否かを決定するように設計され、
前記選択回路(14c)は、前記第2のユーザ局(12)から受信された応答信号(92)に応じて、前記追加情報の伝送を引き起こし、または防止することを特徴とする請求項２７に記載の交換装置。
【請求項２９】
前記問合せデータ(82)は、前記第1のユーザ局(11)へと伝送される追加情報モデルの選択肢を含み、
前記選択回路(14c)は、前記第1のユーザ局(11)から受信された応答信号(91)に応じて、前記第1のユーザ局(11)によって選択された追加情報モデルの前記第2のユーザ局(12)への伝送を引き起こすことを特徴とする請求項２７または２８に記載の交換装置。
【請求項３０】
前記選択回路(14c)は、前記第2のユーザ局(12)が前記追加情報を受信するようにアクティブ化されているかどうかを決定するためのテスト手段を備えることを特徴とする請求項２７から２９のいずれか一項に記載の交換装置。
【請求項３１】
前記追加情報を表示するための準備状態に応じてユーザ局(11, 12)についての料金減額データまたは使用可能な通信サービスを記憶するための加入者メモリ(14d)を備えることを特徴とする請求項２２から３０のいずれか一項に記載の交換装置。
【請求項３２】
前記第2のユーザ局(12)のコール識別表示に添付される追加コードに応じて、前記追加情報を前記第2のユーザ局(12)へと伝送する選択回路を備えることを特徴とする請求項２２から３１のいずれか一項に記載の交換装置。
【請求項３３】
追加情報メモリ(14a)に記憶される多数の追加情報から前記第2のユーザ局(12)へと伝送される追加情報を選択する追加情報選択ユニットを備え、
前記選択は、前記追加コードに応じて行われることを特徴とする請求項３２に記載の交換装置。
【請求項３４】
前記選択回路は、前記追加コードに応じて、前記第1および/または第2のユーザ局(11, 12)に料金減額情報を割り当てるボーナス信号を生成することを特徴とする請求項３２または３３に記載の交換装置。
【請求項３５】
請求項１から２１のいずれか一項に記載の方法を実施するための手段を備えることを特徴とする請求項２２から３４のいずれか一項に記載の交換装置。
【請求項３６】
他のユーザ局に接続するための通信ネットワーク(13, 17, 19, 20; 31, 32, 33)に対するインターフェース(11a, 12a)と、イメージデータ、オーディオデータ、ビデオデータ、および/またはマルチメディアデータを含むデータを記憶するためのデータメモリ(11b, 12b)と、前記データを処理してデータカードの形式で前記データを表示するためのプロセッサユニットと、前記データカードを表示するためのディスプレイユニットとを備え、前記プロセッサユニットは、前記通信ネットワーク(13, 17, 19, 20; 31, 32, 33)から受信され、かつデータカードの形式で表示するために第1のユーザ局(11)からのコールデータに結合された追加情報を処理するように設計された、通信システムのためのユーザ局(11, 12)において、
前記ユーザ局(11, 12)が前記追加情報を受信するようにアクティブ化されているかどうかに応じて、前記データカードの生成および/または送信を許可し、または防止するデータカード許可回路を備えることを特徴とするユーザ局。
【請求項３７】
イメージデータ、オーディオデータ、ビデオデータ、テキストデータおよび/またはマルチメディアデータを含む少なくとも1つのデータセットを含むデータを受信し、かつ/またはメモリからデータを検索するステップと、
データカードとしてディスプレイ上に表示するために前記データセットを処理するステップと、
前記データセットを1つまたは複数の記憶された加入者識別表示に割り当てるステップと
を含む、通信システム(10, 30; 200; 300)のユーザ局(11, 12)のための制御プログラムにおいて、
許可手続きパラメータが、別の追加情報装置から受信された追加情報を再生する既存の許可手続きを表わす場合に、データカードを表わす少なくとも1つの前記データセットが、少なくとも1つの他のユーザ局へと送信されることを特徴とする制御プログラム。
【請求項３８】
請求項１から２１のいずれか一項に記載の方法を実行するプログラムステップを含むことを特徴とする交換装置のための制御プログラム。
【請求項３９】
データ媒体および/または計算ユニットの一部分に記憶された一連のデータであることを特徴とする請求項３７および３８のいずれか一項に記載の制御プログラム。
【発明の詳細な説明】
【技術分野】
【０００１】
本発明は、請求項１の導入部による通信システムにおける追加情報の伝送のための方法と、請求項２２の導入部による通信システムのための交換装置と、請求項３６の導入部による通信システムのためのユーザ局と、制御プログラムとに関する。
【背景技術】
【０００２】
移動無線ネットワークやケーブル結合ネットワークにおける通信システムなどの通信システムにおいては、音声およびデータが、ユーザ局間で伝送される。かかる通信システムは、例えばインターネット、セルラ移動無線ネットワーク、ケーブル電話ネットワーク、またはいくつかのタイプの通信ネットワークの組合せも含んでいる。
【０００３】
セルラデジタル無線ネットワークの一例は、GSM移動無線ネットワーク(Global System for Mobile Communication；移動体通信用グローバルシステム)であり、これは音声およびデータの伝送に適している。ここでは、移動ユーザ局は、アンテナインターフェースによって無線伝送システムに接続される。ほとんどの場合にいくつかの移動交換ポイントおよび関連するビジターレジスタ(visitor register)を有する交換システムは、ユーザ局に由来する信号およびデータを特に所望のさらなるユーザ局へと送信し、その対応する接続を確立する役割を果たす。
【０００４】
国際公開第９５／２１５０８号パンフレットは、移動無線ネットワークにおけるパケットデータ伝送についての方法を開示しており、この方法により、個々のデータパケットは、データパケットサービス、言い換えればGPRS、すなわち汎用パケット無線サービス(General Packet Radio Service)内の移動無線局と基地局の間のトラフィックチャネル中を伝送される。このシステムにおいては、既存の移動無線ネットワークも、パケットデータ伝送のために広範に使用することができる。ここでは、参加する移動局には、コード番号が割り付けられ、このコード番号により、これらのトラフィックチャネルは、制御チャネル中で少なくとも1つのデータパケットを含むトラフィックチャネルとして識別される。
【０００５】
通信システムにおいて特に現代の移動無線システムにおいては、データ伝送のさらなる拡張を求める要件が増大しており、その結果、例えばイメージデータ、オーディオデータ、またはビデオデータを含む比較的大規模なデータパケットでさえ、この通信ネットワークの個々のユーザ局の間で速やかに交換することができる。
【０００６】
移動無線ネットワーク中のデータ伝送におけるデータパケットの伝送中にこの信号負荷を減少させるために、独国特許発明第１９５２４６５９号明細書は、パケットデータサービス内における、データパケットを伝送するための方法を開示しており、この方法では、あるチャネルが、この移動無線ネットワークの無線伝送システム中で予約され、このチャネルは、別のサービスネットワークノードにつながる伝送チャネルを用いて連続的なデータチャネルにリンクされる。
【０００７】
これらのセルラ移動伝送方法のさらなる開発の結果として、移動ユーザ局間においても、高速なデータ伝送についてのますます多くの可能性がもたらされつつある。この一例は、UMTS(Universal Mobile Telecommunication System；ユニバーサル移動通信システム)方式であり、この方式はまた、任意の種類のユーザ局の間の、例えば移動無線セット、PDA(パーソナルデジタルシステム)、PC、ワークステーション、ラップトップコンピュータなどの間のマルチメディアデータの伝送のためには、理想的でもある。
【０００８】
加入者またはユーザについてのコストを低減させるために、広告をこれらのユーザ局に対して送信することができる。例えば、広告バナー、ショートフィルム(short film)またはロゴの形式の広告をユーザのディスプレイ上に表示することができ、ユーザはそれと引き換えに移動電話ネットワークの使用のためのコスト低減を受けることができる。
【０００９】
この状況において、独国特許出願公開第１０１５０１０６号明細書は、情報の伝送のための装置および方法を開示しており、これにより、ユーザまたは加入者は、ユーザまたは加入者のグループに割り当てられ、同じ情報がある種のグループのすべてのユーザに対して伝送される。その結果、共通の接続経路の負荷は低減され、広告の伝送のための追加の容量がサービス供給業者に対してもたらされる。
【００１０】
独国特許出願公開第１０１３７６７７号明細書は、広告キャンペーンの自動的な企画立案をするためのデータ通信システムについて説明している。ここでは、特定のターゲットグループに関連したターゲットグループデータが、この広告キャンペーンの価格に関連した価格データと同様に入出力装置において入力される。
【００１１】
独国特許出願公開第１０１６１１６２号明細書においては、移動通信端末のディスプレイ上に広告を表示するための方法について説明されており、この方法では、広告データを無線インターネットネットワークを介して受信し、移動通信端末のメモリに記憶された広告データと比較してこのようにして受信された広告データをアップデートする。この移動通信端末がアクティブ化されるときに、この広告データは移動通信端末のディスプレイ上に表示される。
【００１２】
広告に供するためのさらなる方法については、独国特許出願公開第１９７０９９３７号明細書によるものも知られている。ここでは、発信側加入者のコールステータスおよび着信側加入者のコールステータスが決定され、メッセージ信号源は、着信側加入者が電話を取るまで発信側加入者の回線に接続される。
【００１３】
第1の通信ネットワークおよび第2の接続ネットワークを含む電気通信システムに記録すべき広告データの形態の追加情報を可能にするために、独国特許出願公開第１９９４０４００号明細書は、接続ネットワークのユーザ局に対する追加情報の伝送のための方法および装置について開示しており、この方法では、接続ネットワーク中の追加情報装置が、発信側ユーザに対する追加の通信接続を確立して、そこで広告データを伝送する。
【００１４】
しかし、これらの知られている方法およびシステムは、これらのユーザが、所望の接続に先立って、または接続の中断中において音声メッセージの形式の広告を受信するので、受信者がこの広告または追加情報を十分に目に見えるように検出できないという不利をこうむってしまう。さらに、この種の広告は、しばしばいらいらする、または迷惑であると認識されることもあり、あるいはこれを認識することは、ユーザ側で意図的に抑えられ、その結果、この広告の目的は、多くの場合に達成されないことになる。さらに、コスト削減の利点は、多くの場合にかかる広告を受け入れるのに十分なものではない。
【００１５】
さらなる問題は、広告が、受信者の同意を得てしか、または送信者と受信者の間の既存の関係の状況においてしか通常は伝送されないようにすべきことである。この問題を解決するために、広告を受信する事前の許可手続き(clearance)が、場合によっては示唆されており、この許可手続きは、通信中に、顧客についての特定の利点またはコスト上の利点をもたらす。しかし、この解決方法の不利な点は、この許可手続きプロシージャが、ユーザが使用を開始する障害となることである。この結果、これらの加入者はかかるサービスの利用が遅れ、このサービスはマーケットでの普及が遅れることになる。他方、望まない、または悩ましくさえある広告に対する効果的な保護が、移動無線会社のクライアント、または通信ネットワークの加入者のために必要になっている。
【００１６】
さらに、既存の多数の端末装置は、マルチメディア情報を送信することができない。さらに、マルチメディア情報を送信することは、高コストに結びつくだけでなく、多くの場合にユーザによる複雑なオペレーションにも結びつき、この複雑なオペレーションにより、可能性のあるユーザがかかるサービスを使用しないようになってしまう。しかし、特にこの移動無線分野においては、マルチメディア情報を簡単で魅力的な方法で送信する必要がある。
【特許文献１】国際公開第９５／２１５０８号パンフレット
【特許文献２】独国特許発明第１９５２４６５９号明細書
【特許文献３】独国特許出願公開第１０１５０１０６号明細書
【特許文献４】独国特許出願公開第１０１３７６７７号明細書
【特許文献５】独国特許出願公開第１０１６１１６２号明細書
【特許文献６】独国特許出願公開第１９７０９９３７号明細書
【特許文献７】独国特許出願公開第１９９４０４００号明細書
【発明の開示】
【発明が解決しようとする課題】
【００１７】
本発明の目的は、通信システムにおいて追加情報の伝送のための方法を提供することであり、この方法は、一方ではデータ伝送についてのコストを節約し、他方では積極的に認識することができる広告または他のデータを特に効果的に提供することができ、それによってそれと引き換えにユーザは、魅力的な利点を享受する。さらに、通信システムのための交換装置と、通信システムのためのユーザ局が提供され、これらを用いて、前述の利点を達成することができ、本発明による方法を実施することができる。
【課題を解決するための手段】
【００１８】
この目的は、請求項１による追加情報の伝送のための方法により、請求項２２による通信システムのための交換装置により、請求項36によるユーザ局により、また請求項３７および３８による制御プログラムによって達成される。本発明のさらに効果的な特徴、態様および詳細については、これらの従属請求項、その説明およびそれらの図面から明らかである。
【００１９】
通信システムにおける追加情報の伝送のための本発明による方法においては、通信コンテキストが第1のユーザ局から少なくとも1つの第2のユーザ局へと確立されて、情報またはデータをこの第2のユーザ局へと伝送し、この通信コンテキストをセットアップするための第1のユーザ局の信号に応じて、追加情報が追加情報装置から第2のユーザ局へと伝送され、それによって通信コンテキストをセットアップするための信号内で第1のユーザ局のデータおよび/または追加情報が定義されたフォーマットで第2のユーザ局に伝送されて、コールが受け入れられる前にテキストおよびイメージのコンテンツを伴うデータカードとしての表示をそこで可能にする。
【００２０】
前記コールを受信する第2のユーザはまた、このコールによって引き起こされる追加情報も受信するので、第2のユーザは、たとえ第2のユーザがこのコールを受け入れないとしても、彼のディスプレイ上で可視的にかつ/または可聴形式でこの追加情報を認識する。広告はコールを受信することにリンクされるので、着信側ユーザの増大された認識および積極的な期待が引き起こされ、受信される追加情報に関する積極的な態度がもたらされることになる。その結果、この追加情報または広告は、より良好な認識および増大された有効性を実現する。それと引き換えに、この広告を受信する加入者は、この移動無線ネットワーク運営者またはサービスプロバイダ、あるいは広告主に従って、データまたはデータパケット、特にマルチメディアデータを送信し、あるいはかかるデータを無料で送信することも行う可能性を有する。これらのユーザは、この方法の普及をもたらし、したがってさらなるコスト削減に寄与する魅力的な利点を享受する。
【００２１】
さらに、広告はターゲットを明確にして出し、正確に評価して決め、高い広告効果を有するようにすることができる。マルチメディア広告は、特に移動通信システムのユーザ局においてレンダリングすることが可能である。その結果、ビジュアル情報またはマルチメディア情報は、広告により資金を調達して低コストで簡単な方法で伝送することができ、多数の既存の端末装置は、そのソフトウェアまたはハードウェアの関連する修正なしに使用することができる。さらに、ターゲットグループに対するユーザの加入に応じて、着信側ユーザまたは第2のユーザを識別し、このユーザに特に追加情報を提供することができるので、これらのターゲットグループに応じた広告の特定の制御を行うことができる。
【００２２】
例えば、選択機能により、このユーザがコールを受信するときに別の追加情報装置から追加情報を受信し、それと引き換えに、例えばこの通信システムの使用に関連した利点、特に減額、無料のデータ伝送、数分間の無料接続、または他の特典の形態の利点を享受したいかどうかについてのどのような制約条件もなしに、このユーザは選択することができる可能性が存在する。
【００２３】
特に、この特典については、ユーザが彼自身で彼のユーザ局においてデータパケットまたはマルチメディアデータを生成し、それを他のユーザに対して例えば無料または減額した料金で送信することもできる。
【００２４】
さらに、この受信する追加情報のタイプに関しては、例えばユーザに関連して記憶されたデータに応じてこのユーザの個人的な興味によるなどの選択の可能性も存在する。
【００２５】
前記追加情報は、第1のユーザ局のコンテキストセットアップ信号またはコールセットアップ信号中の第1または第2のユーザ局のユーザ識別表示（user identification）にリンクさせることができる。その結果、この追加情報は、コールまたは接続のセットアップ中にこの信号に接続され、着信側ユーザに対して伝送される。たとえこの着信側ユーザがこの接続を拒否したとしても、この追加情報は認識される。
【００２６】
前記追加情報と、前記第1または第2のユーザ局のユーザ識別表示は、少なくとも1つの共通の、または一緒にリンクされたデータパケットとして、第2のユーザ局に対して伝送することができる。これは、情報の伝送中における増大された容量に寄与する。
【００２７】
前記第1のユーザ局が伝送するために提供するデータは、テキストデータ、イメージデータ、ビデオデータおよび/またはオーディオデータを含んでいることが効果的である。これは、それらのデータが、異なるタイプのデータの組合せ、特にマルチメディアデータを含み得ることを意味する。特に、この第1のユーザ局におけるデータは、その部分上でこのユーザ局が追加情報を受信することを受け入れるかどうかに応じて生成し、送信することができる。
【００２８】
前記第1のユーザ局が伝送するために提供するデータは、個別のIDカードまたは電子データカードの形式で、第1および/または第2のユーザ局において表示および/または記憶することが好ましい。この結果、それぞれが例えば少なくとも1つのディスプレイページを有するマルチメディアデータまたはデータセットの非常に多数の明確に配列されたパケットは、ユーザ局において生成し、編集し、記憶し、送信することができる。
【００２９】
例えば、プロバイダのデータベースにIDカードを記憶することも可能であり、その結果、端末装置のメモリは過負荷にはならない。このIDカードは発信コールごとにサーバにおいてチェックされ、このIDカードが着信番号について存在する場合には、発信側IDまたはユーザ識別表示に添付される。
【００３０】
特にIDカードまたはデータカード、あるいはデータパケットの形式の第1のユーザ局が伝送するために提供するデータは、ユーザ局の少なくとも1つの記憶またはダイアルされた発信側識別表示に割り当てることが好ましく、または割り当てることができる。その結果、このユーザ局のユーザは、1つまたは複数の他のユーザ局に簡単に速やかにデータカードを送信することができ、あるいは、このユーザは音声メッセージまたはテキストメッセージと同時刻に対応するデータカードを送信することができる。
【００３１】
データカードを伴うかかるコールを受信する第2のユーザは、この着信コールと同時に、例えば発信側ユーザ局のIDカードまたはデータカードを受信する。その結果、この発信側ユーザまたは加入者の個別の情報は、このコールが受け入れられる前、または完全な接続が確立される前に受信し表示することができる。
【００３２】
また、少なくとも1つの一般的なデータパケットの形式で、伝送するために第1のユーザ局に提供されるデータは、ユーザ局の多数のコール識別表示に割り当てられ、IDカードが割り当てられていないユーザへと伝送するために一般的に記憶されることが好ましい。その結果、例えばパーソナルメッセージをすべての発信接続に添付することが可能である。
【００３３】
前記第1のユーザ局に提供されるデータは、この第1のユーザ局においてあらかじめ生成されることが好ましい。この結果、ユーザの要望による個別の修正および生成が可能になる。
【００３４】
前記第1のユーザ局が提供するデータは、例えば送信に先立って第1の端末装置のメモリにロードすることができる。それにより、コンピュータやパーソナルコンピュータなどの外部装置においてデータまたはIDカードを生成し、その後に例えば携帯電話などの移動ユーザ局から、あるいは一般的には電話、PDAまたは同様な装置からこれらをIDカードとして送信することが可能である。
【００３５】
前記追加情報の伝送は、第2のユーザ局の、追加情報を受信するための選択機能としての許可手続きに応じて行われることが好ましい。これは、追加情報を受信するようにアクティブ化されたユーザ局しか広告などの追加情報を受信しないことを意味する。これらのユーザ局が追加情報の受信についてアクティブ化されない場合には、これらのユーザ局は、それにもかかわらず着信データ、特に他のユーザ局からのIDカードを受信することができるが、これらのユーザ局は、本発明の好ましい実施形態に従って、かかるデータをそれ自体で送信し生成することはできない。
【００３６】
例えば、許可手続きは、1つまたは複数の特定のタイプの追加情報を受信するために行うことができる。この結果、この追加情報は、受信者に関して個別に調整することができる。広告以外にも、コールが着信するときに特定のタイプのメッセージまたは他の情報も、例えば伝送することができ、例えば特定の娯楽についての情報が移動ユーザ局の地理的地域内で提供される。
【００３７】
前記追加情報装置においては、ユーザに特有の追加情報を様々な追加情報から特に選択し、第2のユーザ局の加入者情報に応じてこの第2のユーザ局へと伝送することができる。したがって、広告、あるいは他のメッセージまたはニュースを直接にコールの受信者に合わせて調整することができる。
【００３８】
前記追加情報は、テキストデータ、イメージデータ、ビデオデータおよび/またはオーディオデータの形式の広告を含むことが好ましい。したがって、特にマルチメディアデータが、コールの受信者に対して広告として送信される。
【００３９】
伝送すべきデータは、第1のユーザ局の、追加情報を受信する許可手続きに応じて伝送されることが好ましい。したがって、他のユーザが追加情報を受信する準備が整っていることを仮定して、ユーザは、データまたはマルチメディアデータ、特にIDカードを他のユーザに対して送信することができる。
【００４０】
前記追加情報は、第1のユーザ局から伝送されるデータとともに、第2のユーザ局のディスプレイ上に交互にまたは周期的に表示されることが効果的である。それによって、IDカードと追加情報は、同時にまたは均等に表示することができる。
【００４１】
前記追加情報は、たとえ接続が終了されても第2のユーザ局のディスプレイ上に依然として表示されていることが好ましく、そこではこの追加情報は、このディスプレイについてのスクリーンセイバーの機能を果たす。
【００４２】
第1のユーザ局が提供するデータおよび/または追加情報は、接続がセットアップされ、またコールの受入れに先立ってすでに第2のユーザ局で受信されていることが効果的である。したがって、この接続については無料である。
【００４３】
前記追加情報装置は、第1のユーザ局のコンテキストセットアップ信号または接続セットアップ信号によってアクティブ化されて、追加情報を第2のユーザ局に送信することが好ましい。
【００４４】
第1のユーザ局からのデータおよび/または追加情報の送信後に、第2のユーザ局に最初に表示することを意図された情報は、この伝送データおよび/またはこの追加情報で置き換えられることが効果的である。この結果、特にマルチメディアデータ形式の新しい広告または他のメッセージを、受信者のディスプレイ上に何度も配置することができる。
【００４５】
特定の実施形態においては、この追加情報は、オーディオデータを含み、このオーディオデータは、将来の着信接続についての信号トーンとして第2のユーザ局に記憶される。それにより、例えば音楽の形式の最新のリングトーンを例えば第2のユーザ局にロードすることができる。例えばリングトーンまたはコール信号トーンとして記憶することもできる最新の音楽を提供することにより、広告を受信し、よく見ようとする積極的な準備状態をさらに高めることができる。また、特定の音楽またはトーンシーケンスを広告のキャリアとして伝送し、この受信者の所で永続的に有効にすることも可能である。
【００４６】
例えば、リングトーンによってコール受信者の端末装置において選択され、広告と一緒に伝送されるリングトーンを無効にし、またはカバーし、あるいは一時的に置き換えることも可能である。これは、例えば無効化機能が提供されることを意味する。この場合には、リングトーンを記憶することは必要ではない。この目的では、メロディジェネレータがこの端末中に提供されることが好ましく、このジェネレータは、発信側IDまたは加入者識別表示、IDカード、および追加情報または広告データパケットと一緒にリングトーンを生成するためのデータを受信する。
【００４７】
前記追加情報は、第1のユーザ局から発信されるテキストメッセージまたはイメージメッセージに、あるいはマルチメディアデータにリンクされることが好ましい。この結果、より効果的なデータ伝送およびより高い容量が達成される。
【００４８】
前記伝送されるデータおよび/または追加情報は、コールが受け入れられないときに第2のユーザ局に割り付けられたメモリに記憶され、かつ/または第2のユーザ局で表示される。その結果として、発信側のデータまたは追加情報は、永続的に表示または再生することができる。
【００４９】
ネットワーク運営者、プロバイダ、またはローミングパートナは、コールごとに追加情報の伝送を実行することができる。例えば、追加情報は、第1のユーザ局のネットワーク運営者、または第2のユーザ局のネットワーク運営者に接続される。このようにして、情報、特に広告の追加に関するより高い柔軟性が達成される。
【００５０】
本発明による方法は、UMTS規格を使用していることが好ましい。したがって、この提供されるUMTS技術の効果的な使用が可能になり、それにより、1人のユーザ当たりのこの技術の比較的高いコストが低減される。
【００５１】
例えば、料金減額データは、受信される追加情報のタイプおよび/または表示の存続時間に応じて生成され、料金減額メモリに記憶される。したがって、特に厳密な料金減額を各ユーザ局に対して許可することができる。さらに、広告のコストは、再生のタイプおよび存続時間に応じて計算することができる。特に、送信すべきデータは、追加情報を受信する許可手続きに応じて第1のユーザ局によって減額料金で、または無料で伝送することができる。
【００５２】
前記追加情報の伝送に先立って追加情報装置から少なくとも1つのこれらのユーザ局に対して問合せデータを送信することが特に効果的であり、それにより、この追加情報は、各ユーザ局の応答信号に応じて第2のユーザ局で表示される。したがって、スパム(Spam)または望ましくない広告に対する保護が達成されるのに対して、他方でこれらの加入者は、広告または他の追加情報の追加を用いて特典に簡単にアクセスすることが可能になる。
【００５３】
ユーザは、望ましくない広告に対して広く保護されるが、それにもかかわらずユーザがそうしたいと望む場合には、事前の許可手続きなしに追加情報の表示を引き起こすことができる。したがって、これらのユーザは、広告を追加情報として用いて自発的に直接にアドレス指定することができ、また他方では、迷惑な広告に対する保護が実現される。例えば、本発明により、法的規制についてもより簡単に監視することができ、広告を受信することについての各ユーザの受入れに基づいた料金減額システムは、より簡単により早く適用し、マーケットに導入することができる。
【００５４】
前記問合せデータは、第2のユーザ局に送信され、この第2のユーザ局が、追加情報を受信することを受け入れるかどうか、すなわちこの第2のユーザ局の応答信号に応じて追加情報が表示されるか、または表示されないかを決定し、あるいは問い合わせるように設計されることが好ましい。
【００５５】
それにより、ユーザがこれに同意し、この中で着信コールに関連して自発的に、また直接にこの同意について宣言することができる場合には、広告などの追加情報は、第2のユーザ局において、またはコールの受信者の所でしか表示されず、そこへしか伝送されない。コールの受信者が、例えば第1のユーザ局からのSMSメッセージまたはMMSメッセージを受信する場合に、この受信者は追加情報が表示される前に、もし必要なら料金減額または別の特典を享受する提案と一緒に、この受信者が広告を見たいかどうかについて質問を受けることができる。この結果、望ましくない広告またはスパムは、このコール受信者を悩ますことはない。
【００５６】
特に好ましい実施形態によれば、前記問合せデータは、追加情報装置から第1のユーザ局に伝送される追加情報モデルの選択を含んでおり、それにより、これらの追加情報モデルのうちの1つが、第2のユーザ局に対して伝送するための追加情報として第1のユーザ局において選択可能であり、第1のユーザ局の応答信号は、この選択された追加情報モデルについての情報を含んでいる。
【００５７】
その結果として、ユーザが個人的に選択する広告を別のユーザに伝送して、例えば特定の映画を推薦し、または着信側ユーザにとって興味がある可能性が高い特定の製品に対する注意を引くことができる。この場合には、例えば、広告に基づいた料金減額システムに加入したいと思う新しいユーザまたは加入者を直ちにアドレス指定することも可能である。特に、広告の普及損失については最小化され、この広告は匿名では認識されず、但し個人的な推薦として認識される。
【００５８】
この選択可能な、または選択された追加情報モデルは、第1のユーザ局において主題情報（subject information）を入力するためのフィールドとリンクされることが好ましい。それにより、例えば広告である追加情報は、この追加情報がコール受信者に送信される前に、発信側のパーソナルメッセージによって補足し、それによって個人専用にすることができる。この結果、この追加情報は、例えば個人的な推薦の形態の、発信側のパーソナルメッセージになる。
【００５９】
この問合せデータは、追加ディスプレイ上に表示されることが好ましい。それにより、ユーザの特にユーザフレンドリなガイダンスが実現され、これにより受信された問合せデータに対するユーザの簡単で速い応答が可能になる。
【００６０】
各ユーザ局、特に第2のユーザ局の応答信号は、将来の通信接続中に追加情報の受信についての一般的な許可手続きを発生させることが好ましい。したがって、特定の通信サービスにおけるユーザまたはコール受信者の短期間の速やかなメンバーシップが実現され、このメンバーシップ通信サービスは、例えば広告の追加によってユーザに対して個々の特典を提供する。これらの特典は、例えばコストの利点、またはデータ、特にマルチメディアデータを伝送する可能性とすることもできる。事前の許可手続きの場合には、将来の通信接続中では、ユーザに対して彼が追加情報を受信したいと思っているかどうかについての問合せを送信する必要はない。
【００６１】
前記問合せデータを送信するのに先立って、追加情報装置は、例えば第2のユーザ局が、追加情報を受信するために一般的にアクティブ化されるかどうかをチェックすることができ、これにより、この問合せデータは、特にチェックの結果に応じて第2のユーザ局に対して伝送され、または伝送されないことになる。
【００６２】
許可手続きがすでに存在する場合には、追加情報は、事前に問合せデータを伝送する必要なしに、第2のユーザ局に対して直接に伝送することができる。
【００６３】
第1のユーザ局が送信する情報は、ショートメッセージ、SMSデータ、MMSデータ、音声データ、テキストデータ、イメージデータ、オーディオデータ、ビデオデータおよび/または他のデータ、あるいはマルチメディアデータを含むことが好ましく、それにより、例えば追加情報を表示する第2のユーザ局の意思に応じて、この情報を部分的または全体的に伝送することができる。
【００６４】
例えば、発信側は、第2のユーザ局に対してイメージデータ、ビデオデータ、または他のマルチメディアデータを伴うデータセット、例えば発信側のイメージを伴う発信側のアドレスデータを含み、ユーザ局においてデータカードとして表示することができる個人専用にされたデータセットの形式のメッセージを送信することができる。本明細書中でIDカードとも呼んでいる発信側の電子データカードは、例えば第2のユーザ局において最初に部分的にしか表示されず、あるいは着信IDカードは問合せデータによってしか通知されないことになる。第2のユーザ局が、各応答信号を送信することにより、またはすでに行われている許可手続きによって追加情報、特に広告を受信する準備が整っている場合には、発信側の完全なIDカードが第2のユーザ局において表示されることになる。この表示は、例えば追加情報または広告と交替することができる。
【００６５】
さらに、第1のユーザ局が送信する情報は、ショートメッセージ、音声データ、テキストデータ、イメージデータ、オーディオデータ、ビデオデータおよび/または他のデータ、あるいはマルチメディアデータを含むことができ、それにより、追加情報を受信する、第1のユーザ局の受入れデータ、または対応する準備データに応じて、この情報は、部分的または全体的に伝送される。
【００６６】
この場合に、IDカード、あるいは他のデータまたはマルチメディアデータについては、この場合しか、例えばユーザが追加情報を受信するようにアクティブ化される場合しか、ユーザが送信することができない。
【００６７】
料金減額データが生成され、あるいは減額されたコストにおける通信接続、または改善されたサービス特性を有する通信接続が、応答信号に応じてユーザ局のために提供されることが効果的である。
【００６８】
この結果として、ユーザは、対応する応答信号を用いて将来についての特定のサービスを即座に使用することができ、この特定のサービスは、例えば別のユーザまたは加入者に対して、対応するフォーマットにおける自体のIDカードまたはアドレスデータ、パーソナルデータおよび/またはイメージを送信する可能性を提供する。
【００６９】
例えば、追加情報を受信するための第1のユーザ局の許可手続きに応じて、第2のユーザ局に対して減額されたコストで情報またはデータを伝送することが可能である。この結果、ユーザは、広告によって、彼のデータまたはIDカードを送信する資金を完全にまたは部分的に調達することが可能になる。
【００７０】
前記追加情報装置から第2のユーザ局に対する追加情報の伝送は、追加コードによって引き起こされることが効果的であり、この追加コードは第1のユーザ局において第2のユーザ局の局または発信側識別表示に結合される。
【００７１】
前記追加コードを用いて追加情報の伝送をアクティブ化して、追加情報装置からコール受信者に追加情報を送信することにより、マルチメディア形式の情報を簡単で費用対効果の優れた方法で、選択された加入者に対して送信することができ、それにより、多数の既存の移動端末装置またはユーザ局を使用することができる。この端末装置またはユーザ局のソフトウェアまたはハードウェアの本質的な修正は必要ではない。したがって、速い受入れおよびマーケットへの浸透を実現することができる。
【００７２】
前記追加情報は、例えば広告または一般的な情報を含むことができる。しかし、この追加情報は、例えばインターネットを介して追加情報装置に事前に記憶される個人専用のメッセージまたは個別のメッセージとすることもできる。例えばユーザは、この追加情報を個別に構成することができる。この追加情報は、イメージ、オーディオ情報およびビデオ情報を含むことができ、記憶後に、この追加情報は、プレフィックス(prefix)を用いて検索し、コール受信者に対して送信することができる。
【００７３】
前記追加コードは、第1のユーザ局において特定のプレフィックスを入力し、または検索することによって生成することが好ましく、このプレフィックスは、通信接続がセットアップされるときに第2のユーザ局のコール識別表示の前にダイアルされる。したがって、第1のユーザ局におけるユーザは、例えば着信側ユーザまたは第2のユーザ局の電話番号に先立ってプレフィックスを単に選択して、例えばマルチメディア情報または追加情報をコール受信者に対して伝送することができる。
【００７４】
例えば、多数のユーザ局が相互接続される通信ネットワーク中において、追加コードまたはプレフィックスは、通信コンテキストをセットアップするための信号内において、またはコールセットアップ内において、追加情報がコール受信者に対して伝送されることを達成する。この結果、追加情報は、第2のユーザ局においてコールを受け入れるのに先立って、例えばマルチメディア、グラフィック、またはオーディオのビジュアルコール信号としてすでに表示されていることが可能となる。
【００７５】
少なくとも1つのかかる追加コードまたはプレフィックスコードは、ユーザメモリに記憶され、例えばユーザ局の1つまたは複数のコール識別表示に割り付けられ、このコール識別表示は、電子電話帳のエントリを構成することが好ましい。これにより、第1のユーザ局におけるユーザは、特定の電話帳のエントリが常に追加情報を伝送しなければならないことを簡単に事前に設定することができる。
【００７６】
前記追加情報装置は、追加コードに応じて多数の異なる追加情報から選択された追加情報を第2のユーザ局に対して伝送することが効果的である。したがって、例えば個人専用にされた広告または受信者に合わせて調整された広告あるいは情報が受信者に到達することができる。これは、この受信者が、例えば受信者の推定された興味プロファイルに対応するかかる情報しか受信しないことを意味する。それにより、発信側は、例えば、一般的な情報、発信側の特定の情報、または受信者がほとんどの場合に個人的に知っている、受信者のための広告を特に選択する可能性を有する。
【００７７】
例えば、追加コードは製品または広告掲示板上に配置することができ、あるいは追加コードは情報媒体中において示すことができる。したがって、ユーザは、コール受信者の電話番号の前のプレフィックスとして特定の番号を選択することができ、それにより、このプレフィックスは、コール受信者に対する広告または他の情報の形態の追加情報として伝送されるあらかじめ定義されたコンテンツにトリガを与え、または制御する。例えば、ある会社がその製品上に個別のコード番号を付与することができ、このコード番号により、ユーザは、1回または複数回、例えば他のユーザに対するマルチメディアデータの伝送として特定の通信サービスを使用できるようになる。さらなる利点として、顧客をつなぎとめるための計画を実現することができる。特定のコード番号をプレフィックスとして与えられた製品の購入者は、例えばこの購入者がこのプレフィックスを使用するときに特典を享受することができる。
【００７８】
前記追加情報は、定義されたデータフォーマットのテキストデータ、ビデオデータ、オーディオデータおよび/またはマルチメディアデータを含み、その結果、この追加情報は、個別の電子データカードの形式で第2のユーザ局上にグラフィックで表示することができることが好ましい。したがって、電子マルチメディアカードまたは名刺として追加情報を送信し、第2のユーザ局上で追加情報を表示することが可能である。しかし、例えば第1のユーザ局から第2のユーザ局上へとこのタイプの情報を直接に送信することも可能である。
【００７９】
前記追加情報は、特にデータパケットの形式のデータを含むことができ、これらの各データパケットは、ユーザ局の少なくとも1つの、保存されまたはダイアルされたコール識別表示に割り当てられ、または割当て可能である。
【００８０】
前記追加情報の伝送は、追加情報を受信する第2のユーザ局の許可手続きに依存することが効果的である。これにより、追加情報を受信することに一般的に同意しているかかるユーザしか追加情報を受信しないようにすることができる。その結果、このユーザは、それと引き換えに料金の特典、ボーナスポイントまたは他の利点、あるいは例えばマルチメディア情報またはデータカードを送信する可能性のような特定の通信サービスを享受することができる。同時に、スパム保護または望ましくない広告に対する保護が実現される。
【００８１】
前記追加情報の伝送は、追加情報の受信についての第1のユーザ局の許可手続きに依存することが好ましい。これにより、加入者は、この加入者が追加情報を受信し、これと引き換えに他の加入者に追加情報を送信する利点を享受することを望むかどうかを自身で決定することができる。
【００８２】
前記問合せデータが追加情報の伝送に先立って第2のユーザ局に対して送信されることが効果的であり、追加情報はこの問合せデータに応答した第2のユーザ局の応答信号に応じて第2のユーザ局において表示され、または表示されないことになる。したがって、効果的なスパム保護が事前の許可手続きの必要性なしに実現される。その結果、各ユーザは、このユーザが、この通信方法の利点を利用したいかどうかをすぐに直接に決定することができる。多くの場合に時間がかかり、またはユーザの特定のアクションを必要とする事前の許可手続きの省略により、この方法またはシステムのより速い受入れとより速やかなマーケットへの浸透を実現することができる。
【００８３】
異なるタイプの追加情報は、第2のユーザ局のディスプレイ上で交互に、または周期的に表示されることが好ましい。したがって、例えば発信側のパーソナルマルチメディア情報を広告と共に交互に表示することができる。
【００８４】
前記追加情報が接続の終了後に第2のユーザ局のディスプレイ上に表示され、そこで、この追加情報が、例えば次のコールが着信するまでスクリーンセイバーの機能を果たすことが効果的である。その結果、広告、現代の時代精神に対応するグラフィックに訴える情報、または常に最新でもある情報を、ユーザ局において表示することができ、それによってユーザは、彼の端末装置を提示することにより、さらにパーソナルイメージを受信することになる。
【００８５】
特に、前記追加情報は、接続のセットアップ中に、またコールの受入れに先立って第2のユーザ局において前もって受信しておくこともできる。その結果、受信者は、例えば発信側の個別の電子マルチメディアデータカードの閲覧および/または聴取を行い、この受信者は、その後に彼がこのコールを受け入れるかどうかを決定することができる。しかし、例えばこの受信者はまた、広告情報を考慮し、このコールを受け入れることによりボーナスポイントを収集することもできる。このようにして、広告を積極的に注視し、前向きに受信することもできる。
【００８６】
例えば、第1のユーザ局および/または第2のユーザ局に割り当てられるボーナス信号を追加コードによって生成して、各ユーザ局に対して料金減額情報を割り当てることができる。それによって各ユーザは、例えばこのユーザのユーザ局を用いてその後に引き換えることができるボーナスポイントを収集することができる。したがって、追加コードを介して確立される各接続は、ボーナスポイントまたはロイヤリティポイントを用いた報償を受けることが可能である。これらのボーナスポイントは、例えば無料通話、あるいは通信ユニット、リングトーン、ロゴなどについて報償を受けることができる。
【００８７】
本発明の交換装置は、通信システムにとって適しており、第1のユーザ局と少なくとも1つの第2のユーザ局の間で通信コンテキストをセットアップして、第1のユーザ局から第2のユーザ局へと情報またはデータを伝送するためのスイッチングユニットと、第2のユーザ局に対して追加情報を送信するための追加情報装置とを備え、それによって、テキストおよびイメージのコンテンツを伴う第1のユーザ局の個別のデータカードとしてのデータ表示が、コールの受入れに先立ってすでに第2のユーザ局において可能になるように、交換装置は、この通信コンテキストをセットアップするための信号内で第2のユーザ局に対するこのデータおよび/または追加情報の伝送を引き起こす。
【００８８】
本発明による交換装置により、メッセージ、特に広告は、効果的に、ターゲットを特定して差し出され、ユーザの所で高い受入れ度合いを達成することができ、さらにこれらは正確に決済(settle)することもできる。その上、これらのユーザは高いコストを必要とせずに、ユーザ自身で個別のデータを送信することもできるようになる。さらに、本発明の方法に関連して前述している同じ利点も存在している。
【００８９】
前記交換装置は、第1のユーザ局から発信されるデータストリームに追加情報を結合することが効果的である。特に、これは高い容量をもたらす。
【００９０】
前記装置は、特に追加情報選択ユニットを備えており、この追加情報選択ユニットは特に、選択された追加情報を第2のユーザに対して伝送するための第2のユーザ局のユーザ識別番号に応じて、追加情報メモリに記憶された多数の追加情報から追加情報を選択する。それによって、特に有効な配置および位置づけが実現される。
【００９１】
ユーザ局についての料金減額データが、追加情報を受信する許可手続きに応じて登録される課金ユニットが提供されることが好ましい。これにより、ユーザは魅力的な金銭的特典を享受する。
【００９２】
比較ユニットが設けられることが効果的であり、この比較ユニットは、追加情報を受信するためのユーザ局の許可手続きに応じてマルチメディアデータの生成、伝送および/または記憶を許可し、または防止する。その結果、各ユーザは、このユーザがこの方法に参加しそれによってこの利点を利用したいかどうかを自由に選択することができる。他方、このユーザが許可手続きに対する決定を行う場合に、このユーザはそれにもかかわらず他のユーザからのすべての情報を受信することができる。
【００９３】
前記追加情報は、追加情報データカードの形式のディスプレイ上で表示するためのデータを含むことが効果的である。したがって、この追加情報は、例えば、特に前述のIDカードフォーマットにおけるこのユーザが生成するデータと同じデータフォーマットで供給することができる。
【００９４】
少なくとも1つのユーザ局に問合せデータを送信するための問合せユニットが、この問合せデータに応じて各ユーザ局の応答信号に応じて第2のユーザ局に対する追加情報の伝送を引き起こす選択回路と同様に設けられることが効果的である。
【００９５】
これにより、これらのユーザは、望ましくない広告に対して保護され、これらのユーザが単一ケースごとにこれを望む場合には、これらのユーザは、それにもかかわらず、広告によって資金が調達されるサービスに直接に参加することができる。発信側が、この単一ケースにおいて、コールに対して広告によって資金調達することも可能である。この結果、広告により資金調達が行われる通信サービスは、速やかに受け入れられ、普及することになる。
【００９６】
前記問合せデータが第2のユーザ局に送信され、この第2のユーザ局が追加情報を受信する準備が整っているかどうかを決定するように設計されることが好ましく、これにより、選択ユニットは第2のユーザ局の応答信号に応じて追加情報の伝送を有効にし、または防止することができる。
【００９７】
しかし、前記問合せデータはまた、第1のユーザ局に伝送される追加情報モデルまたは広告モデルの選択を含むこともでき、これにより選択回路は第1のユーザ局の応答信号に応じて、第1のユーザ局が選択した追加情報モデルの第2のユーザ局への伝送を引き起こす。
【００９８】
この場合には、選択された、または選択可能な追加情報モデルは、第1のユーザ局において主題情報を入力するためのフィールドにリンクされることが好ましい。
【００９９】
前記選択ユニットは、第2のユーザ局が追加情報を受信するようにアクティブ化されているかどうかを決定するためのテスト手段を備えることが効果的である。
【０１００】
例えば、交換装置は、追加情報を表示するための準備状態に応じて第1のユーザ局が送信する情報を第2のユーザ局に対して部分的または完全に伝送することができる。
【０１０１】
追加情報を表示するその準備状態に応じて、ユーザ局についての料金減額データまたは使用可能な通信サービスを記憶するユーザメモリが設けられることが好ましい。
【０１０２】
前記交換装置は、第2のユーザ局のコール識別表示に接続された追加コードに応じて追加情報を第2のユーザ局に伝送する選択回路を備えることが効果的である。
【０１０３】
本発明による方法または通信方法は、前記交換装置を用いて実施することができる。本発明による方法に関連して述べている利点および特徴は、本発明による交換装置の利点および特徴と同じであり、逆もまた同様である。
【０１０４】
前記交換装置は、多数のユーザ局を有する通信ネットワークの一部分であり、例えば追加コードが受信されるときに、この交換装置は、コールセットアップ信号内の追加情報を第2のユーザ局に伝送するように設計されることが好ましい。
【０１０５】
追加情報メモリに記憶された多数の追加情報から具体的に追加情報を選択する追加情報選択ユニットが設けられることが好ましく、この選択された追加情報は第2のユーザ局に伝送され、ここで、この選択は追加コードに依存する。
【０１０６】
例えば、追加コードに応じて、前記選択ユニットは第1および/または第2のユーザ局に対して料金減額情報または他の特典を割り付けるボーナス信号を生成する。
【０１０７】
特に、本発明による装置には、本発明による方法を実施する手段が設けられる。
【０１０８】
通信システムにおける本発明のユーザ局は、このユーザ局を他のユーザ局に接続するための通信ネットワークに対するインターフェースと、イメージデータ、オーディオデータ、ビデオデータ、および/またはマルチメディアデータを含むデータを記憶するためのデータメモリと、それをデータカードの形式で表示するデータを準備するためのプロセッサユニットと、前記データカードを表示するためのディスプレイユニットとを備え、ここで、前記プロセッサユニットは、前記通信ネットワークから受信される追加情報を処理するように設計されており、データカードの形式で前記追加情報を表示するために第1のユーザ局のコールデータと結合され、データカード認証回路は、追加情報を受信する前記第1のユーザ局の許可手続きに応じてデータカードの生成または送信を許可または防止する。
【０１０９】
追加情報を受信するユーザ局の許可手続きに応じて、データカードの生成および/または送信を許可し、または防止するデータカード認証回路が設けられることが効果的である。それによって、ユーザは、あるユーザからのコールまたはメッセージが着信するときに広告を受信し、それと引き換えに、例えばIDカードを生成し送信する可能性としての特典を享受したいかどうかを決定することができる。
【０１１０】
前記データメモリ内のデータカードは、他のユーザ局の1つまたは複数のコールアドレスに割り付けられ、または割り付けることができることが好ましい。このようにして、データは、簡単に編集し、生成し、また特にアドレス指定して伝送することができる。
【０１１１】
前記通信ネットワークからの追加情報は、ディスプレイ上に追加情報データカードの形式で表示できることが好ましい。その結果、パーソナルIDカード、および同じフォーマットにおける追加情報を処理することができる。
【０１１２】
前記追加情報は、ディスプレイ上でIDカードと交互に表示できることが効果的である。このようにして、この追加情報、およびこれらのパーソナルデータセットまたはIDカードも表示することができる。
【０１１３】
前記プロセッサユニットは、ユーザ局が別のユーザ局によって再び呼び出されるまで、ディスプレイの追加情報の表示をもたらすことが好ましい。このようにして、この追加情報は、このユーザ局上に永続的に表示することができる。
【０１１４】
さらに、この表示時間は、交換装置中で測定することができ、その結果、広告について正確に決済することができる。
【０１１５】
本発明の制御プログラムは、通信システムのユーザ局にとって適しており、イメージデータ、オーディオデータ、ビデオデータ、テキストデータおよび/またはマルチメディアデータを伴う少なくとも1つのデータセットを含むデータをメモリから受信および/または検索するステップと、ディスプレイ上で表示するために、データカードとして表示可能であるデータセットを処理するステップと、前記データセットを1つまたは複数の記憶されたユーザ識別表示に割り当てるステップとを含んでおり、ここで、許可手続きパラメータが、別の追加情報装置からの追加情報の表示を行うための既存の許可手続きを表す場合には、少なくとも1つのさらなるユーザ局に対する、データカードを表わす少なくとも1つのデータセットの送信が実行される。
【０１１６】
本発明の追加の態様によれば、通信システムにおける制御プログラムが提供され、ここで、前記通信システムは、多数のユーザ局および追加情報装置を備え、前記制御プログラムは、本発明の方法を実施するためのプログラムステップを含んでいる。
【０１１７】
本発明は、特に以下の態様も含んでいる。
【０１１８】
(A)通信接続が、第1のユーザ局から少なくとも1つの第2のユーザ局へとセットアップされて、前記第1のユーザ局から前記第2のユーザ局へと情報および/またはデータを伝送し、追加情報装置から発信される追加情報が伝送され、前記第1のユーザ局のコールセットアップ信号、および前記第2のユーザ局について有効である選択機能に応じて前記追加情報が、セットアップ中または通信接続の確立後に、前記追加情報装置から前記第2のユーザ局へと伝送される、通信システムにおける追加情報の伝送のための方法。
【０１１９】
(B)通信接続が、第1のユーザ局から少なくとも1つの第2のユーザ局へとセットアップされて、前記第1のユーザ局から前記第2のユーザ局へと情報を伝送し、追加情報装置から発信される別の追加情報を前記第2のユーザ局へと送信することができ、問合せデータが、前記追加情報装置から少なくとも1つの前記ユーザ局へと送信され、前記追加情報は、前記問合せデータに応じた各ユーザ局の応答信号に応じて前記第2のユーザ局において表示される、通信システムのユーザ局に対する追加情報のオプション的な伝送を伴う方法または通信方法。
【０１２０】
(C)通信システム内において、通信接続が、第1のユーザ局から少なくとも1つの第2のユーザ局へとセットアップされ、別の追加情報装置から発信される追加情報が前記第2のユーザ局へと伝送可能であり、それによって、前記第1のユーザ局において前記第2のユーザ局のコール識別表示に結合された追加コードが、前記追加情報装置から前記第2のユーザ局への追加情報の伝送を引き起こす、追加情報のアクティブ化された伝送を伴う方法または通信方法。
【０１２１】
(D)第1のユーザ局からコールセットアップ信号を受信したときに、第2のユーザ局への通信接続を生成するスイッチングユニットと、選択されたユーザ局についての追加情報を供給するための追加情報装置とを備える、通信システムのための交換装置であって、前記第1のユーザ局のコールセットアップ信号中に含まれるユーザ識別表示と、前記第2のユーザ局の許可手続き機能に応じて、前記追加情報を前記第2のユーザ局に伝送する選択回路が設けられる交換装置。この選択機能は、例えばこの追加情報装置の一部分である。
【０１２２】
(E)第1のユーザ局と少なくとも1つの第2のユーザ局の間で通信接続をセットアップして、前記第1のユーザ局から前記第2のユーザ局へと情報を伝送するスイッチングユニットと、追加情報を前記第2のユーザ局へと送信するための追加情報装置とを備える、通信システムのユーザ局に対する追加情報の選択的な伝送を伴う交換装置であって、前記追加情報装置は、これらのユーザ局のうちの1つ、ならびに選択回路に問合せデータを送信するための問合せユニットを備え、前記問合せユニットは、前記問合せデータに応じた各ユーザ局の応答信号に応じて、前記第2のユーザ局に対する追加情報の伝送を引き起こす交換装置。
【０１２３】
(F)第1のユーザ局からコールセットアップ信号を受信したときに第2のユーザ局への通信接続を生成するスイッチングユニットと、追加情報を第2のユーザ局へと伝送するための追加情報装置とを備える、通信システムにおける交換装置であって、前記第2のユーザ局のコール識別表示に追加され、またはあらかじめスイッチングされた追加コードに応じて、この追加情報を前記第2のユーザ局に伝送する選択回路が設けられる交換装置。
【０１２４】
(G)インターフェースを介して通信ネットワークに接続され、または接続することができる様々なユーザ局を有する通信システムであって、前記通信システムが、本発明による交換装置を備える通信システム。
【０１２５】
(H)他のユーザ局と接続するための通信ネットワークに対するインターフェースと、イメージデータ、オーディオデータ、ビデオデータ、テキストデータおよび/またはマルチメディアデータを含むデータを記憶するためのデータメモリと、前記データを表示するためのディスプレイと、前記インターフェースを介して前記データの伝送をする手段と、前記データをデータカードの形式で処理し表示するためのプロセッサユニットとを備える、通信システムにおけるユーザ局であって、前記プロセッサユニットが、前記ディスプレイ上で前記通信ネットワークから受信される追加情報を処理し表示するように設計されたユーザ局。
【０１２６】
本発明の方法、交換装置、通信システム、ユーザ局、または制御プログラムに関連して述べられている利点および特徴、あるいは以下で詳細に説明している効果および特徴はまた、本発明の他の各態様についても有効であり、逆もまた同様である。
【０１２７】
本発明については、以下で例を用いて図面を参照して説明することにする。
【発明を実施するための最良の形態】
【０１２８】
最初に、本発明の第1の実施形態について、図１から図６を参照して詳細に説明する。
【０１２９】
図１は、第1の例として、様々なユーザ局が属する通信システム10を示している。簡単にするために、第1のユーザ局11および第2のユーザ局12しか示していない。このユーザ局11、12は、例えば通信ネットワーク13に対するインターフェース11a、12aを有する移動電話、PDA、ラップトップ、パーソナルコンピュータ、固定ネットワーク電話、または一般的に任意のタイプの通信装置である。
【０１３０】
通信ネットワーク13の助けにより、これらのユーザ局11、12の間の接続が生成されて、音声、データ、および一般的に別のタイプの情報を1つのユーザ局から別のユーザ局に伝送し、あるいは情報を双方向に交換する。通信ネットワーク13は、追加情報装置14に電子的に結合され、追加情報の形式のデータを、この追加情報装置14によってこれらのユーザ局11、12の間の接続に追加することができるようにして追加情報装置14に接続される。
【０１３１】
通信ネットワークは、スイッチングユニットを有する交換装置16を備え、このスイッチングユニットは、セットアップ信号、すなわち通信コンテキストを確立するための信号を受信したときに、通信接続15a、15bを生成し、あるいは第1のユーザ局11から第2のユーザ局12への通信コンテキストをセットアップする。
【０１３２】
前記追加情報は、追加情報装置14の追加情報メモリ14aに記憶され、これにより、異なるタイプの様々な追加情報が、データパケットの形式で記憶される。この追加情報は、例えばマルチメディアデータ、または信号イメージデータ、テキストデータ、音声データ、オーディオデータおよび/またはビデオデータを含む広告を含んでいる。アドレスメモリ中において、この追加情報は、アドレス、ユーザ識別番号またはユーザ識別コードにリンクされ、その結果、ある種のユーザに対する追加情報の割付けが行われる。
【０１３３】
さらに、多数の追加情報は、各ユーザまたは加入者についての、あるいは各ユーザ局11、12についての追加メモリ14aに記憶することができ、この追加情報は、順次、または場合により、あるいは各ユーザに対してあらかじめ定義されたスキームに従って伝送される。
【０１３４】
各ユーザ局11、12は、異なるタイプのデータ、特にテキストデータ、イメージデータ、オーディオデータおよび/またはビデオデータ、あるいは一般的にマルチメディアデータを記憶することができるデータメモリ11b、12bを有する。ここで、このデータは、あるフォーマットのデータセットの形式で記憶することができ、このフォーマットは、以下でIDカードと呼ぶ個別のデータカードとしての表現を可能にする。
【０１３５】
これらの単一データカードまたはIDカードは、例えばそれに属するテキストおよび諸イメージを含むことができ、これらのカードは、トーンシーケンス、オーディオデータおよび/またはビデオデータにリンクすることができる。例えば、ユーザは、このユーザのユーザ局11、12においてこのユーザの写真付きのIDカードを提供し、それに歓迎テキストを割り当て、それに注意を喚起する音楽の一節を挿入することができる。このようにして、このIDカードは、例えば各ユーザのユーザ特有の情報を含んでいる。これらのユーザ局11、12中において、これらのIDカードは、プロセッサの助けによりロードし、受信し、編集し、記憶し、かつ/または送信することができる。
【０１３６】
ここで、複数のIDカードは、関連するユーザ局11、12の各メモリ11b、12b中に蓄積することができる。これらのIDカードは、それに割り当てられたユーザ番号、ユーザ識別番号、またはユーザ識別コードを有し、これらは、ユーザ局11、12のアドレスブックメモリ中に配置される。したがって、別のユーザを呼び出すときに、割り当てられた記憶済みのIDカードをそこに送信することができる。しかし、伝送するための一般的なIDカードを提供することも可能であり、このIDカードは、すべての着信側ユーザに対して送信され、これらの着信側ユーザには、特定の個別のIDカードは割り当てられていない。
【０１３７】
第1のユーザ局11から発信される通信接続15a、15bが、通信ネットワーク13上で第2のユーザ局に対してセットアップされるときに、この通信ネットワーク13の交換装置16は、最初に着信側ユーザの、この場合には第2のユーザ局12のユーザ識別表示をチェックする。これは、コールセットアップ信号、または通信コンテキストのセットアップのための信号が第1のユーザ局11から受信されるときに実行される。
【０１３８】
その後に、第2のユーザ局12が、追加情報を受信する同意を宣言しているかどうかがチェックされることになる。この情報は、選択機能に含まれる。追加情報を受信する準備は、通常、プロバイダまたは通信サービス提供業者における対応するアクティブ化によって実行される。
【０１３９】
前記選択機能に対応する第2のユーザまたは着信側ユーザについての許可手続きが存在している場合、着信側ユーザ局12のユーザ識別表示に対応する追加情報は、追加情報メモリ14aから呼び出され、コールセットアップ信号またはセットアップ信号と一緒に第2のユーザ局12へと送信される。この目的では、この追加情報はユーザ識別表示にリンクされる。第1のユーザ局11によって送信されるデータパケットに対する追加情報の結合が実行される。
【０１４０】
前記選択機能により、第2のユーザまたは着信側ユーザについての許可手続きが存在していない場合には、着信側ユーザ局12のユーザ識別表示に対応する追加情報は、追加情報メモリ14aから呼び出されず、セットアップ信号しか、第2のユーザ局12へと送信されず、その結果、第1のユーザ局11と第2のユーザ局12の間の接続は、追加情報のスイッチオン(switching on)または結合なしに確立される。
【０１４１】
IDカードは、例えば第1のユーザ局11から第2のユーザ局12へと送信することができ、このIDカードはすでにコールセットアップ信号中に、またはテキストメッセージもしくは一般的にはSMS中に含まれており、あるいはそれに結合されている。いずれにしても、このIDカードは、第2のユーザ局12についての許可手続きが存在するかどうかということとは独立に第2のユーザ局12に到達する。この許可手続きは、IDカードの発送および/または生成についての要件にすぎない。
【０１４２】
第2のユーザ局12の許可手続きが存在する場合、コール信号またはセットアップ信号がそこで受信されたときに、第1のユーザ局11が送信するIDカードは、追加情報と一緒に第2のユーザ局12のディスプレイ上に表示される。この追加情報およびIDカードは、交互に表示され、これにより、この追加情報がIDカードフォーマットで提供されることが効果的である。
【０１４３】
この接続の終了後にも、この追加情報は、第2のユーザ局12のディスプレイ上に残っている。これは、この追加情報の表示が、さらなるコールが着信しない限り継続されることを意味する。さらなるコールが着信するときに、次に続く追加情報は、ユーザ局12に到達し、そこで表示することができる。
【０１４４】
IDカードの生成を実行するために、これらのIDカードは、別の装置で生成し、その後にユーザ局にロードすることもできる。このようにして、例えばイメージデータおよび音声データは、ユーザ局に、例えばパーソナルコンピュータから、または着信SMSによってロードすることができるのに対して、テキストデータおよび音声データは、ユーザ局において直接に生成することができる。
【０１４５】
広告を受信する許可手続きにより、IDカードの無料生成のための生成機能が可能になる。この場合には、広告は、プロバイダにより、またはこのプロバイダのプロジェクトパートナによりユーザのコールに添付されることになる。第2のユーザ局12におけるコール受信者は、例えば3秒間隔で、発信側のIDカードと広告を交互に受信する。第2のユーザ局12によるコールの受入れの後にも、この広告はディスプレイ上に残り、このコールの終了後にスクリーンセイバーへと変化する。このスクリーンセイバーは、次のコールが受信されるまで、不変のままで維持される。
【０１４６】
IDカード機能がアクティブ化されない場合には、申込者（applicant）またはユーザは、自身のIDカードを生成することができず、広告を受信しないが、この申込者またはユーザは、発信側のIDカードを受信することができる。
【０１４７】
この機能は、国際的なローミング方法によって全地球上でカバーすることができる。この場合にはクローズドシステムの可能性が存在し、このクローズドシステムにおいては、各プロバイダまたはサービスプロバイダが広告を接続する。すなわち広告は、その顧客の受信するコールに追加されることになる。一方、オープンシステムの可能性も存在し、このオープンシステムにおいては、各コール受信者は発信側のプロバイダから広告を受信する。
【０１４８】
図１に示す例においては、通信ネットワーク13のネットワーク運営者の追加情報ユニット14は、追加情報を第1のユーザ局11から着信するコールに、あるいはこれらのコンテキストセットアップ信号にスイッチングし、さらに、このコールまたはその対応する信号をそれに結合された追加情報と一緒に第2のユーザ局12に対して伝送する。この場合には、全体の情報が、プロバイダの通信ネットワーク13内の順方向接続15bを使用する代わりに、外国ネットワーク17の運営者およびローミング接続17a、17bを介して第2のユーザ局12に到達することも可能である。
【０１４９】
許可手続きが存在する場合に、第2のユーザ局12は、第1のユーザ局11の発信側識別表示、ならびに第1のユーザ局11からのIDカード、および追加情報に含まれる広告を受信する。この場合にはまた、第2のユーザ局12において自分自身のIDカードを生成し、そこから送信することもできる。このサービスは、アクティブ化された状態にある。
【０１５０】
許可手続きが存在しない場合には、第2のユーザ局12における加入者は、発信側識別表示またはユーザ識別表示、ならびにIDカードを第1のユーザ局11から受信するが、広告も他の追加情報も存在しない。この場合には、IDカードを生成しユーザ局12に送信することができない。このサービスは、非アクティブ化された状態にある。
【０１５１】
明確にするために、図２ａおよび図２ｂは、両方のユーザ局11、12が同じプロバイダに属する通信システムについての一例を示している。
【０１５２】
この状況において、図２ａは、追加情報装置14が、発信側または第1のユーザ局11が属する通信ネットワーク13内で追加情報を生成し接続する場合を示している。この発信側のネットワーク運営者が生成する広告は、第2のユーザ局12において受信される。これにより、この接続は、通信ネットワーク13の運営者の通信接続15a、15bを介して直接に、または外国ネットワーク17の運営者が提供するローミング接続17a、17bを介して実行することができる。
【０１５３】
図２ｂにおいて、外国ネットワーク17の運営者が提供するローミング接続17a、17bを介して同様にして実行される。しかし、この場合には、追加情報装置14は、外国ネットワーク17の一部分である。これは、外国ネットワーク17の運営者が、広告を生成し、このローミング方法内のコールにこれらの広告を結合することを意味する。このローミングパートナが生成する広告は、ユーザ局12において受信される。
【０１５４】
図３ａおよび図３ｂは、両方のユーザ局11、12が自国内の異なるプロバイダに属し、国内コールが実行される通信システムについての一例を示している。
【０１５５】
この状況において、図３ａは、追加情報装置14が、発信側または第1のユーザ局11が属する通信ネットワーク13内で追加情報を生成し、追加する場合を示している。この発信側のネットワーク運営者が生成する広告は、第2のユーザ局12において受信される。これにより、この接続は、外国ネットワーク17の運営者が提供する接続17a、17bを介して実行される。
【０１５６】
図３ｂにおいて、接続は、外国ネットワーク17の運営者が提供する接続17a、17bを介して同様に実行される。しかし、この場合には、追加情報装置14は、外国ネットワーク17の一部分であり、すなわち外国ネットワーク17の運営者は広告を生成し、これらの広告をコールに対してスイッチングする。ユーザ局12において、着信側加入者の通信ネットワークの運営者が生成する広告が受信される。
【０１５７】
図４ａ、図４ｂおよび図４ｃは、両方のユーザ局11、12が、異なる国内運営者に属し、コールが外国へと行われる通信システムについての一例を示している。
【０１５８】
ここで、図４ａは、追加情報装置14が、発信側または第1のユーザ局11が属する通信ネットワーク13内において追加情報を生成し追加する場合を示している。接続18aを介して、広告の付いたコールは、受信者が属する通信ネットワーク19の運営者へと転送される。その後に、この広告の付いたコールは、接続18bを介してローミングパートナの通信ネットワーク20に転送され、そこから、このコールは、さらなる接続18cを介して第2のユーザ局12に到着する。そこで、発信側のネットワーク運営者が生成する広告が受信される。
【０１５９】
図４ｂにおいて、接続は同様に実行される。しかし、この場合には、追加情報装置14は、受信者が属する通信ネットワーク19の一部分である。すなわち、通信ネットワーク19の運営者は広告を生成し、これらの広告をコールに結合する。ユーザ局12において、着信側加入者の通信ネットワーク19の運営者が生成する広告が受信される。
【０１６０】
図４ｃにおいてもまた、接続は、図４ａと同様に実行される。しかし、この場合には、追加情報装置14は、ローミングパートナの通信ネットワーク20の一部分である。すなわち、このローミングパートナは広告を生成し、これらのメッセージをコールに結合する。ユーザ局12において、このローミングパートナが生成する広告が受信される。
【０１６１】
図５は、本発明の第2の好ましい実施形態による通信システムを示している。この場合には、第1のユーザ局11は、インターフェースを介して移動ネットワークまたは通信ネットワーク31と接続される。第2のユーザ局12に対する通信接続は、さらなる移動ネットワークまたは通信ネットワーク32を介して生成される。第2のユーザ局12は、通信ネットワーク31および32を介して第1のユーザ局11からのコールを受信する。
【０１６２】
さらに、これらの通信ネットワーク31、32と、グローバルネットワーク33、例えばインターネットまたはイントラネットの間にも接続がある。グローバルネットワーク33内の第1のサーバ局34は、例えば広告とすることができる追加情報を生成し、この追加情報を発送するために提供する。発信側信号が第1の通信ネットワーク31中の第1のユーザ局11から受信されるときに、問合せをサーバ局34に送信して、かかる追加情報またはデータパケットが、コールに追加するために使用可能であるかどうかについて問い合わせる。これに該当する場合、対応するデータは、受信者の地域に属するさらなるサーバ局35に伝送される。
【０１６３】
その後に、ユーザ局12である受信者の側で、追加情報を受信するための選択機能がアクティブ化されるかどうか、すなわち対応する許可手続きが存在するかどうかについてのチェックが行われることになる。この場合には、例えば広告、またはデータの形式の他のニュースのような追加情報が、第1のユーザ局11から着信するデータストリームに結合され、または添付されることになる。
【０１６４】
一般的にはまた、動作スタンバイを離れた定常状態において、すなわち例えば無線ローカルエリアネットワーク(W-LINE)におけるような常にオンの動作(ALWAYS-ON operation)、GPRS動作モードまたはI-MODE動作モードにおいて、たとえコールが受信されないとしても、ユーザの同意を得て、例えば広告のような追加情報を送信し、更新することができる。これにより、例えばコンテンツおよびサービスに対する無料のアクセスが実現され、安価なダウンロードの可能性、あるいは電話または通信の受信者におけるそれ自体の追加情報を生成する可能性が実現される。
【０１６５】
しかし、本発明の第1の実施形態による主要な利点は、IDカードまたは他のデータは、これらを広告により資金調達することにより、コール受入れに先立って受信者に対して無料で伝送できることである。
【０１６６】
本発明は、リングトーン、あるいはコール信号またはセットアップ信号を例えばインターネットまたはイントラネットからのデータの受信と結合している。この機能は、自動的にアクティブ化することができ、それによってこのコールは、サーバをアクティブ化する。さらに、かかる種類のサービスを提供する異なるネットワーク運営者間のインターネット/イントラネットデータ交換またはリンクが可能である。
【０１６７】
特に、データまたはIDカードの伝送はまた、ショートメッセージまたはSMSのメイリングに対して結合することもできる。これは、このショートメッセージまたはSMSが、知られているようにしてユーザのメニュー中で呼び出されるやり方で行うことができ、それにより、送信者のIDカード及び結局はそれと広告を交互に、直ちに受信者のディスプレイに表示される。
【０１６８】
さらに、ネットワーク運営者のデータを用いて広告を送信することも可能である。それによって、プロバイダ識別表示は、例えばスクリーンセイバーの形式の広告とすることもでき、このスクリーンセイバーのメッセージは、定義された時間間隔ごとに自動的に変化する。
【０１６９】
図６は、オペレーションプロセスと、ユーザ局11、12のディスプレイ上の対応するメニューコマンドを一例として概略的に示すものである。
【０１７０】
アドレスブックコマンド51を介して、ユーザの名前および番号を有するアドレスブックエントリ51aが呼び出される。設定コマンド52により、IDカードを生成し、または表示することができる。IDカード生成コマンド52aは、IDカードの生成を行う役割を果たし、それにより、このIDカード生成コマンド52aには、コマンド「テキストを挿入する」53、「画像を挿入する」54、および「音声を挿入する」55を有するサブメニューが続いている。IDカード表示コマンド56は、IDカードを表示する役割を果たし、このIDカード表示コマンド56は、コマンド「削除する」57および「編集する」58を含む、それに属するサブメニューを有する。
【０１７１】
機能選択コマンド61を介して、ユーザは、コマンド「アクティブ化する」62および「非アクティブ化する」63に到達する。これにより、広告メッセージを受信するための選択機能をスイッチオンし、またはスイッチオフすることができる。
【０１７２】
さらなる設定コマンド64を介して、以下のコマンドを含むサブメニューに到達する。
65:次のコールのためにIDカードを削除する。
66:すべてのIDカードをスイッチオン/スイッチオフする。
67:すべての発信コールについて一般的なIDカードを使用する。
68:IDカードのないすべての受信コールについて一般的なIDカードを使用する。
69:IDカードをアドレスブックに挿入する。
70:一般的なIDカードを生成する。
【０１７３】
メニューアイテム69から、アドレスブックエントリが呼び出されるメニューコマンド51aに到達する。メニューコマンド70から、前述のサブメニュー53、54、55に再び到達する。
【０１７４】
本発明により特に、移動無線装置を用いてIDカードまたは他のデータパケットの生成および無料発送も可能になる。それにより、これらのIDカードは、例えば自由に設計可能なイメージデータファイル、テキストデータファイル、番号データファイル、および/または音声データファイルとすることができ、これらのファイルは、発信側識別表示または発信側IDあるいは加入者識別表示と同時にコールの受信者に伝送される。したがって、移動無線装置の発信側識別表示に加えて追加データの同時伝送が可能である。
【０１７５】
移動ユーザ局についての対応するデータ処理プログラムにより、ユーザは、自身のIDカードを記憶し生成することができる。これらのIDカードはまた、記憶された番号に関連づけることもできる。一般的なIDカードは、記憶されていないすべての番号に、またはそれ自体のIDカードが割り当てられていない記憶されている番号に割り当てることができる。それにより、IDカード、またはIDカードの一部分は、端末装置において生成することができ、あるいは端末装置にロードすることができる。上書き機能は、例えばテキストによってイメージを上書きすることを可能にする。数字による発信側識別表示または発信側IDは、例えばIDカード内に統合される。特にまた、移動ネットワークもかかるデータパケットの処理および伝送にとって適している。
【０１７６】
ユーザにとってのさらなる利点としては、データパケットの無料の生成および伝送の可能性に加えて、許可手続きが実行されるときの端末装置についての値引き、基本料金の可能な免除または基本料金の減額、あるいはまた電話請求書からのある金額の月々の減額の可能性も存在する。
【０１７７】
広告は、地域的に、国内で、また国際的に結合することができるので、広告主は、特に広告の有効なグローバル広告プラットフォームおよび特定のターゲッティングの利点を有する。フェードインする広告は、例えば国コードによる言語に関して適合させられる。さらに、例えばこの広告についての広告の受信者数、および端末がスイッチオンされるときのスクリーンセイバーとしての広告の存続期間についての正確な測定を実行することができる。これらの数字については、統計的に報告することができ、アカウントの決済をこのサービスに従って行うことができる。
【０１７８】
さらに、年齢および性別によるターゲットを定めた広告を実施することもでき、これにより、これらの仕様は任意のものにすることもでき、またはプロバイダ契約から認識されるものとすることもできる。
【０１７９】
この広告の高い効果は、ユーザ局のディスプレイにおけるスクリーンセイバーが、ユーザと、このユーザの環境にいる人々によって何度も見られることによっても実現される。これにより、アクティブな表示が、例えば携帯電話により、特に家庭において、オフィスにおいて、レストランにおいて、バーなどにおいて実現される。このデータの伝送、特に移動無線伝送装置から、また移動無線伝送装置へのマルチメディアデータの伝送は、現代の時代精神に対応しているので、この受容者は増大する。
【０１８０】
運営者は、特にこの広告プラットフォームの提供による追加収入の可能性、UMTS使用との接続、競争における対応する利点、ならびに新しい自身のサービスおよびサードパーティのサービスについてのプラットフォームからの恩恵を受ける。
【０１８１】
さらに、音楽メッセージ、オーディオメッセージ、または音声メッセージにより、リングトーンを上書きし、または置換する可能性も存在する。データ表示の間で競合する場合には、許可手続きに応じて特定の表示の優先機能を設定する、対応する上書き機能を提供することができる。
【０１８２】
以下では、本発明の第2の実施形態について、図７から９を参照して説明する。
【０１８３】
図７は、本発明のさらなる実施形態による交換装置を有する通信システム200を示している。この通信システム200には、様々なユーザ局が属しているが、ここで、本明細書中では表現を簡単にするために第1のユーザ局11および第2のユーザ局12しか示していない。ユーザ局11、12は、例えば通信ネットワーク13に対するインターフェース11a、12aを有する移動無線装置、PDA、ラップトップ、パーソナルコンピュータ、固定ネットワーク電話、または一般的に任意の種類の通信装置である。
【０１８４】
通信ネットワーク13を有する通信システム200は、通信コンテキストをセットアップするための信号であるコールセットアップ信号、またはセットアップ信号を受信するときに、第1のユーザ局11から第2のユーザ局12への通信接続15a、15bまたは通信コンテキストを生成する交換装置16を備える。通信ネットワーク13の助けにより、ユーザ局11とユーザ局12の間の接続が確立されて、1つのユーザ局から別のユーザ局へと音声、データ、または一般的に別のタイプの情報を伝送し、あるいは双方向に交換する。
【０１８５】
通信ネットワーク13は、追加情報装置14に対して電子的に結合され、追加情報装置14からの追加情報の形式のデータを、ユーザ局11とユーザ局12の間の通信接続15a、15bにスイッチングし、またはこの通信接続15bのコンテキストにおいて第2のユーザ局12に対してさらに伝送することができるようにして、追加情報装置14と接続される。
【０１８６】
追加情報は、追加情報装置14の追加情報メモリ14aに記憶され、それによってデータパケットの形式の多数の異なる追加情報が蓄積される。この追加情報は、例えばマルチメディアデータ、あるいは一般的に例えばイメージデータ、テキストデータ、音声データ、オーディオデータおよび/またはビデオデータとしてのデータを含む広告を含んでいる。
【０１８７】
さらに、第1のユーザ局11および/または第2のユーザ局12に対して問合せデータ81、82を送信するための問合せユニット14bが設けられる。選択回路14cは、各ユーザ局11、12の応答信号91、92に応じて追加情報の伝送を引き起こす役割を果たす。
【０１８８】
本発明の方法の特に効果的な一例によれば、問合せデータ82が、第2のユーザ局12へと送信されて、第2のユーザ局12におけるコールの受信者が現行のコールに対するさらなる情報を見たいかどうかについて質問をする。この場合に、選択回路14cは、第2のユーザ局12の応答信号92に応じてさらなる情報をそこに送信し、または送信しない役割を果たす。したがって、応答信号92は、さらなる情報を第2のユーザ局12において表示すべきかどうかについての情報を含んでいる。これに該当しない場合、基本的なデータまたは基本的な情報しか、あるいは第1のユーザ局11の情報の一部分しか、第2のユーザ局12に対して送信されないことになる。
【０１８９】
しかし、第2のユーザ局12の応答信号92が、さらなる情報または追加情報を表示すべきというメッセージを含む場合には、選択回路14cは、追加情報装置14から第2のユーザ局12への追加情報の伝送を引き起こす。
【０１９０】
例えば、追加情報として追加される1つまたは複数の広告は、第1のユーザ局11が送信する追加データまたは他の追加情報と交替しながら、第2のユーザ局12において表示される。この追加情報は、例えば、第1のユーザ局11から送信されるイメージデータ、ビデオデータ、音声データ、テキストデータ、オーディオデータ、または他のデータを含むことができ、これらのデータは、第2のユーザ局12のディスプレイ上でデータカードまたはIDカードの形式で表示可能であり、または表示されることが好ましい。この場合には、この情報は、通常は追加情報または広告の追加なしに表示されるかかる基本的なデータまたは基本的な情報を補完する。したがって、これらのユーザが望む場合には、第1のユーザ局11の完全なマルチメディアデータセットは、追加情報装置14からの広告と交互にIDカードの形式で、第2のユーザ局12において表示され、または表示されない。
【０１９１】
本発明の通信方法はまた、SMSメッセージまたはMMSメッセージを伝送するときに使用することもできる。この場合には、このメッセージまたはSMS/MMSメッセージは、第1のユーザ局11において構成され、第2のユーザ局12へと送信される。通信ネットワーク13の交換装置の問合せユニット14bは、その後に、問合せデータ82を第2のユーザ局12へと送信して、広告をそこで表示すべきかどうかについて問い合わせる。応答信号92を用いて第2のユーザ局12によって確認された場合には、この広告はSMSメッセージまたはMMSメッセージに追加した追加情報としてそこで受信され、表示される。
【０１９２】
この広告の表示は、例えばSMSメッセージまたはMMSメッセージの表示と交互に、あるいはそれに先立って定義された期間中に実行される。広告を追加して表示する準備状態と引き換えに、加入者は個々の特典を享受し、これらの特典はこのユーザに割り当てられた特典メモリ中に特典データとして記憶される。これらの特典は、例えば通信コストの減額、ボーナスポイント、無料ユニット、IDカードを送信し受信する可能性などである。
【０１９３】
これらの特典は、第1のユーザ局11または発信側、ならびに第2のユーザ局12またはコールの受信者に対して許可され、各ユーザに対して割り当てられるメモリ中に収集することができる。特に、問合せデータ82を用いて、追加情報を表示する準備状態がコールの受信者によって確認された場合に、コールの受信者には第1のユーザ局における発信側が料金の特典または別の利点を享受することになることについて通知することもできる。これらの利点は、問合せデータ82によりコールの受信者に対して提案することもできる。
【０１９４】
明確にするために、図８は、説明している例による発明の通信方法のプロセスを概略的に示している。最初に、発信側Aが、第1のユーザ局11(図７参照)において、パーソナルデータカードまたはIDカードを送信する可能性をアクティブ化する(ステップ1)。次いで、発信側Aは、第2のユーザ局12における加入者Bのコール番号を選択する(ステップ2)。次いで、コール情報が追加情報装置14に転送される(ステップ3)。そこでは、最初に第2のユーザ局12が、広告を受信するためにアクティブ化されているかどうかがチェックされることになる(ステップ4)。
【０１９５】
許可手続きが存在する場合、広告の形態の追加情報は、例えば第1のユーザ局11が送信するマルチメディアIDカードと交互に第2のユーザ局12において直ちに表示される(ステップ9)。広告についての許可手続きがない場合には、問合せデータ82(図７参照)が、追加情報装置14から第2のユーザ局12へと伝送される(ステップ5)。それにより、この問合せデータは、第2のユーザ局12において、追加して提供されるディスプレイ表示上に表示される(ステップ6)。
【０１９６】
次に、第2のユーザ局12において広告情報を表示するための準備状態に関する問合せが行われ、この問合せには、そこで対応するエントリによって応答することができる(ステップ7)。例えば、ユーザまたは加入者Bが、発信側AのIDカードおよび追加の広告を見たいかどうかが、質問される。準備が整っていない場合、否定応答信号92が追加情報装置14に対して送信され、広告の形態の追加情報は表示されない。この広告は、削除され、または抑制される(ステップ8)。しかし、広告情報を受信する準備が整っている場合には、広告情報は、例えば第1のユーザ局11から送信されるマルチメディアIDカードと交互に、第2のユーザ局12のディスプレイ上で表示されることになる(ステップ9)。
【０１９７】
この通信方法により、これらの加入者は、直接にアドレス指定され、また動機を与えられて、広告の受信と引き換えにIDカード交換システムに参加することができる。大規模なデータ、マルチメディアデータおよび個々のIDカードの伝送のためのコストは、かなり減額することができる。
【０１９８】
図７に示す通信システム200に関連して、別の好ましい例による本発明の通信方法について以下で説明することにする。
【０１９９】
そこでは、問合せデータ81が、第1のユーザ局11へと送信されて、ここで異なる広告モデルまたは追加情報モデルの選択を提案し、これらのモデルから特定のモデルを第1のユーザ局11において選択して、追加情報として第2のユーザ局12にこのモデルを伝送することができる。
【０２００】
第1のユーザ局11において選択された追加情報モデルは、応答信号91を用いて第1のユーザ局11から追加情報装置14に伝えられ、その後にそこから第2のユーザ局12へと伝送される。したがって、例えば発信側が選択する広告を含む、この発信側が選択する追加情報は、第1のユーザ局11の情報に追加して第2のユーザ局12において表示される。
【０２０１】
第1のユーザ局11において選択可能な追加情報モデルは、発信側が、この発信側のパーソナルメッセージを入力することができるエントリフィールドを用いて提供され、その結果、この場合において、エントリフィールド内の発信側のパーソナルメッセージは追加情報とリンクされる。この場合には、この発信側が選択する追加情報または広告が、この発信側のパーソナルテキストと一緒に第2のユーザ局12において表示される。
【０２０２】
この発信側のパーソナルコメント、または主題情報が与えられた追加情報は、例えば第1のユーザ局11から伝送されるデータと交互に表示される。これらは、例えば第1のユーザ局11から第2のユーザ局12へと送信されるパーソナルマルチメディアデータまたはIDカードである。したがって、これらのIDカードが、受信者または第2のユーザ局12において、発信側が個人専用にする広告と一緒にまたは交互に表示されるので、発信側は、発信側のIDカードを低コストで、あるいは無料で送信することも可能である。
【０２０３】
図９は、さらに明確にするために説明している例による本発明の通信方法のプロセスを概略的に示している。
【０２０４】
最初に、発信側Aは、第1のユーザ局11(図７参照)においてデータ、例えばIDカードの形式のマルチメディアデータの伝送をアクティブ化する(ステップ1)。発信側Aは、第2のユーザ局12におけるユーザBのコール番号を選択する(ステップ2)。次に、発信側Aは、追加情報装置14から、各モデルが主題エントリフィールドを有する広告モデルの選択肢を受信する(ステップ3)。発信側Aは、与えられたフィールドに主題情報を入力する(ステップ4)。その後に、発信側Aは、発信側のエントリを確認する(ステップ5)。確認されたものが存在しない場合、新しい選択が可能であり、すなわちステップ3へと戻る。
【０２０５】
次いで、選択された広告モデル、またはその上にパーソナル主題情報を有する情報は、応答信号91と一緒に、例えばサーバとして設計されている追加情報装置14へと伝送される(ステップ6)。次に、広告は、主題情報と共に、ユーザBまたは第2のユーザ局12へと伝送される(ステップ7)。ここで、この広告は、ユーザBにおいて主題情報と一緒に表示される(ステップ8)。
【０２０６】
発信側は、この追加の広告を自分自身で選択し、この広告を個人専用にし、すなわちこの発信側が広告にパーソナルメッセージまたは推薦状を追加することができるので、広告の普及損失はかなり減らされる。この広告は、積極的に認識され、迷惑として認識される広告の危険は低下される。同時に、これらのユーザは、広告により少なくとも部分的に資金調達されるマルチメディアデータまたは他の情報を交換することもできる。特に、例えばイメージまたは他のマルチメディアデータが提供されているパーソナルアドレスデータパケットをIDカードとして交換し表示することができ、これにより、このユーザについてのコストは、大幅に減額することができる。
【０２０７】
この追加情報は、例えばアドレスメモリ内のアドレス、ユーザ識別番号、またはユーザ識別コードに結合され、その結果、この追加情報の特定ユーザに対する割当てが存在する。
【０２０８】
各ユーザ局11、12は、異なるデータ、特にテキストデータ、イメージデータ、オーディオデータおよび/またはビデオデータ、あるいは一般的にはマルチメディアデータを記憶することができるデータメモリ11b、12bを有する。そこで、このデータは、個別データカードまたはIDカードとしての表示を可能にするフォーマットにおけるデータセットの形式で蓄積することができる。
【０２０９】
これらの単一データカードまたはIDカードは、例えばそれに属するテキストおよびイメージを含むことができ、これらのカードは、トーンシーケンス、オーディオデータ、および/またはビデオデータとリンクすることができる。ユーザは、例えばユーザのユーザ局11、12において、このユーザの写真付きのIDカードを蓄積し、歓迎テキストをこの写真に追加し、注意を喚起する音楽の一節をそれに蓄積することができる。ユーザ局11、12において、IDカードは、プロセッサを用いてロードし、受信し、編集し、記憶し、かつ送信することができる。
【０２１０】
それにより、多数のIDカードは、各ユーザ局11、12の各メモリ11b、12bに蓄積することができる。これらのIDカードは、ユーザ局11、12のアドレスブックメモリ中に配置されるユーザ番号、ユーザ識別番号、またはユーザ識別コードに割り当てられる。したがって、別の加入者が呼び出されるときに、この加入者に割り当てられる記憶された各IDカードをそこへ送信することができる。しかし、一般的なIDカードも発送のために供給することができ、この一般的なIDカードは、特定の個別のIDカードが割り当てられていないすべての着信側ユーザに対して送信される。
【０２１１】
IDカードの生成を実行するために、これらのIDカードは、別の装置において生成し、その後にユーザ局へとロードすることもできる。これにより、特にイメージデータまたは音声データは、例えばパーソナルコンピュータから、または着信ショートメッセージ(SMS)またはMMSを介してこのユーザ局へとロードすることができるのに対して、テキストデータおよび音声データは、例えばこのユーザ局において直接に生成される。
【０２１２】
広告を受信する準備状態の宣言により、IDカードの無料生成のための生成機能も例えばアクティブ化することができる。この場合には、プロバイダ、またはこのプロバイダのプロジェクトパートナは、ユーザのコールに広告を添付する。受信者が応答信号によりこれについての準備状態を宣言しているものと仮定して、第2のユーザ局12におけるコール受信者は、例えば3秒間隔で発信側のIDカードと広告を交互に受信する。第2のユーザ局12によりコールを受け入れた後にも、この広告はディスプレイにおいてそこに残り、このコールの終了後にスクリーンセイバーへと変化する。このスクリーンセイバーは、この次のコールが着信するまで不変のまま維持される。
【０２１３】
この機能は、国際的なローミング方法によって全地球上でカバーすることができる。このコンテキストにおいては、クローズドシステムの可能性が存在し、このクローズドシステムにおいては、各プロバイダまたはサービスプロバイダが、問合せデータを送信し、さらに広告を結合しており、すなわちこのプロバイダの顧客のコールに、例えば問合せデータが与えられ、広告がそれに追加される。一方、オープンシステムの可能性も存在しており、このオープンシステムにおいては、各コール受信者は、発信側のプロバイダから広告および/または問合せデータ81、82を受信する。
【０２１４】
図１０および１１を参照して、本発明の第3の実施形態について以下で説明する。
【０２１５】
図１０は、本発明のさらなる好ましい実施形態による交換装置を有する通信システム300を示している。この通信システム300には、多数のユーザ局が属しているが、ここで、簡単にするために第1のユーザ局11と第2のユーザ局12しか、この図には示していない。ユーザ局11、12は、例えば通信ネットワーク13に対するインターフェース11a、12aを有する移動無線装置または携帯電話、PDA、ラップトップ、パーソナルコンピュータ、固定ネットワーク電話、および一般的に任意の種類の通信装置である。
【０２１６】
これらの各ユーザ局には、番号またはコール識別表示が割り当てられたこれらのユーザのデータが記憶される、メモリ11b、12bが設けられる。
【０２１７】
通信システム300は、第1のユーザ局11からコールセットアップ信号、または通信コンテキストのセットアップのための信号を受信したときに、第2のユーザ局12に対する通信接続15a、15bまたは通信コンテキストを生成する交換装置16を備える。通信ネットワーク13を用いてユーザ局11とユーザ局12の間の接続が確立されて、1つのユーザ局から別のユーザ局に音声、データ、および一般的に非常に異なるタイプの情報を伝送し、または双方向に交換する。
【０２１８】
通信ネットワーク13は、追加情報装置14に対して電子的に結合され、追加情報の形式のデータを、追加情報装置14によってユーザ局11とユーザ局12の間の通信接続15a、15bにスイッチングし、またはこの通信接続15bのコンテキストにおいて第2のユーザ局12に対してさらに伝送することができるようにして、追加情報装置14と接続される。
【０２１９】
この追加情報は、追加情報装置14の追加情報メモリ14aに記憶され、ここでデータパケットの形式の多数の異なる追加情報が蓄積される。追加情報装置14内に記憶された追加情報は、多数の広告および複数の一般的な情報を含むが、ユーザによって生成され、かつ/またはモデルから選択され、また他のユーザにその情報を送信するために蓄積された単一ユーザの個別情報も含んでいる。
【０２２０】
選択回路14cは、第1のユーザ局11がこのコール識別表示と一緒に、または先立ってダイアルした追加コードまたはプレフィックスコードに応じて、第2のユーザ局12への追加情報の伝送を引き起こす役割を果たす。それによって、この追加情報は、コールセットアップ信号内、または通信コンテキストのためのセットアップ信号内において通信接続15bによって第2のユーザ局12へと伝送される。
【０２２１】
この追加情報は、イメージデータ、テキストデータ、オーディオデータおよび/またはビデオデータなどのデータ、ならびに一般的にはマルチメディアデータを含んでいる。このデータは、正確に定義されたデータフォーマットで記憶され、また送信することができ、その結果、これらのデータは、ユーザ局のディスプレイ上で電子データカードまたはIDカードとして表示することができる。すなわち、IDカードの受信者は、この受信者のディスプレイ上で、追加テキストを含むことが可能であり、かつ/またはオーディオ信号とリンクされる、グラフィック情報、イメージ情報、またはビデオ情報を見る。
【０２２２】
しかし、この追加情報は、例えばIDカードのフォーマットにおけるマルチメディアデータを含むだけでなく、第1のユーザ局が送信する情報は、このIDカードフォーマットでも使用可能であり、受信されたときに表示することも可能である。
【０２２３】
さらに、特定の実施形態によれば、問合せデータ82を第2のユーザ局12に対して送信するための問合せユニット14bが、追加情報装置14内に設けられる。この場合に、問合せデータ82を第2のユーザ局12へと送信して、第2のユーザ局12におけるコール受信者が、現行のコールに追加してさらなる情報を見たいかどうかを問い合わせることができる。この場合に、選択回路14cは、さらに第2のユーザ局12からの応答信号92に応じてこのさらなる情報をそこへ送信し、または送信しないという目的を有する。したがって、応答信号92は、さらなる情報または追加情報を第2のユーザ局12において表示すべきかどうかについての情報を含んでいる。これに該当しない場合、基本的なデータまたは基本的な情報しか、またはこの情報の一部分しか第2のユーザ局12に対して伝送されず、あるいは第1のユーザ局11から送信された情報しか、第2のユーザ局12に対して伝送されないことになる。
【０２２４】
しかし、第2のユーザ局12からの応答信号92が、さらなる情報または追加情報を表示すべきであるというメッセージを含む場合には、次いで、選択回路14cは、追加情報装置14から第2のユーザ局12への追加情報の伝送を引き起こす。
【０２２５】
発信側の情報および追加情報は、図１０中の破線が示すように、知られているローミング方法を用いて1つまたは複数の交換局を介して伝送される。
【０２２６】
明確にするために、図１１は、さらなる好ましい例を用いて、本発明の通信方法のプロセスを概略的に示している。最初に、発信側は、第1のユーザ局11において第2のユーザ12のコール番号に先立って、特定のプレフィックスまたはコードをダイアルする。これは、キーボード上のエントリにより、または第1のユーザ局11の電子電話帳のエントリをメモリ11bから検索することによって行われる。ここでは、あらかじめ定義された、異なるプレフィックスは、他のユーザ局の特定の電話帳のエントリにすでに割り当てられていることも可能である。
【０２２７】
これらのプレフィックスまたはコードは、例えばSMSメッセージ、MMSメッセージまたはショートメッセージの通信サービスのユーザには知られており、あるいは対応するプレフィックスが与えられた製品によって知られている。これらのプレフィックスはまた、広告、シネマスポットおよびTVスポットによってユーザに対して知られるようにすることもでき、これらのプレフィックスは、これらが選択されるときに特定の特典とリンクすることもできる。
【０２２８】
第2のユーザ局12のコール番号に先立ってコードまたはプレフィックスをダイアルすることにより、対応するプレフィックスコードまたは追加コードは、第2のユーザ局12のコール識別表示と一緒に追加情報装置14へと伝送される。
【０２２９】
選択回路14cは、プレフィックスコードまたは追加コードに従って多数の記憶された追加情報から定義された追加情報を選択する。この追加情報は、例えば広告、または発信側が以前に蓄積しているこの発信側のパーソナルメッセージである。この追加情報は追加され、その結果、この追加情報は、コールを信号で伝えるために第2のユーザ局12に送信されるコールセットアップ信号内に直接に含められる。それによって、例えば広告の形式で使用可能な追加情報は、コールの受信者のパーソナルプロファイルに従って選択することができる。
【０２３０】
次のステップにおいて、この第2のユーザ局におけるコールの受信者が、この追加情報を受け入れる準備が整っているかどうかがチェックされる。これは、追加情報を受信する、第2のユーザ局の以前の許可手続きにより、または各コールの直前のアクティブな問合せによって行うことができる。この場合には、問合せユニット14bは、最初に問合せデータ82を第2のユーザ局12へと送信する。この問合せデータに応答した第2のユーザ局12の応答信号92に応じて、第2のユーザ局への追加情報の伝送は、許可され、または防止される。
【０２３１】
追加情報を受け入れる準備状態の検査は選択的であり、すなわちこの方法は、この検査なしに実施することもできる。第1のユーザ局11が、プレフィックスまたは追加番号を介して第2のユーザ局12に対して追加情報としての広告の伝送を引き起こす場合には、追加情報は、個人に特有のものにされ、または発信側からのパーソナルメッセージであり、コールの受信者がおそらく情報として受け入れたいと望み、またはユーザに改善されたイメージをもたらす代表的な方法で受信者の携帯電話に表示することになる個々の製品、サービス、映画、レストランまたは他の主題を指し示す。
【０２３２】
広告を追加して表示する準備状態と引き換えに、またはコール中の追加番号または前置番号の使用と引き換えに、1人または複数人のユーザ11、12または加入者は、各ユーザに特典データとして割り当てられた、特典メモリに記憶された個々の特典を享受する。これらの特典は、例えば通信コストの価格減額、ボーナスポイント、無料ユニット、IDカードを送信し、または受信する可能性などである。ボーナスポイントについては、端末またはユーザ局を用いて後で商品等と引き換えることもできる。
【０２３３】
これらの特典は、第1のユーザ局11または発信側、ならびに第2のユーザ局12またはコール受信者に対して許可することができる。特に、問合せデータ82を用いて、追加情報を表示する準備状態がユーザ局12においてコール受信者によって確認される場合に、第1のユーザ局11における発信側またはコールの受信者が、自身で料金の特典または別の特典を享受することについて通知を受けることができる。
【０２３４】
第2のユーザ局12において、追加情報の受信のための準備が整っている場合、追加情報として追加される1つまたは複数の広告は、例えばコールセットアップ信号内で第2のユーザ局12に対して伝送される。ここでは、このコールセットアップ信号が受信されるときに、これらの広告は、すでに表示されていることになる。すなわち、着信コール中に、広告は、第2のユーザ局12のディスプレイ上でポップアップ(pop-up)として表示される。それと引き換えに、第1のユーザ局11における発信側および/または第2のユーザ局12におけるコール受信者は、1つまたは複数のボーナスポイントを受信し、これらのボーナスポイントについては、例えば携帯電話を用いて商品等と引き換えることができる。
【０２３５】
この追加情報は、第2のユーザ局12において例えば第1のユーザ局11から送信される追加情報または他のデータと交互に表示される。この追加情報は、特に第1のユーザ局11から送信されるイメージデータ、ビデオデータ、音声データ、テキストデータ、オーディオデータまたは他のデータを含むことができ、このデータは、データカードまたはIDカードの形式の第2のユーザ局12のディスプレイ上で表示されることが好ましく、あるいは表示することができる。この場合に、例えば第1のユーザ局11の完全なマルチメディアデータセットは、やはりIDカードの形式でも使用可能な追加情報装置14の広告と交互に、IDカードの形式で第2のユーザ局12において表示される。
【０２３６】
本発明の通信方法はまた、SMSメッセージまたはMMSメッセージが伝送されるときに実施することもできる。この場合には、メッセージまたはSMS/MMSメッセージは、第1のユーザ局11において編集され、第2のユーザ局12へと送信され、ここではダイアル中に、プレフィックス番号または追加番号もダイアルされる。追加情報を受信する準備が整っている場合には、この追加情報、例えば広告は、そこで受信され、SMSメッセージまたはMMSメッセージに追加して表示される。
【０２３７】
したがって、本発明により、多数の効果が実現される。
【０２３８】
発信側は、特殊な端末装置を持つ必要なしに、簡単な方法で他のユーザまたは参加者にマルチメディアデータを電子データカードとして送信することができる。さらに、発信側は、これらの発信側が受信者に送信したいと思う追加情報を個別に選択することができる。この追加情報は、発信側の自身のマルチメディア電子名刺、あるいはデータカードまたはIDカードとすることができ、これらのカードは、コールが着信するときにはすでに受信者のディスプレイ上に発信側を表示することになる。
【０２３９】
コール受信者には、彼がこのコールを受け入れる前に、彼が、このコールのコンテンツに関連したビジュアル情報を受信するという利点がある。しかし、この追加情報はまた、伝送されるときに例えば特定のサービスまたは通信接続の使用としてのこれらのユーザにとっての料金の特典または他の利点を許可する一般的な情報または広告を含むこともできる。
【０２４０】
ネットワーク運営者は、広告を介して資金を調達し、また使用可能な容量を使用しさらに拡張することができる魅力および可能性による現代の通信サービスについての増大する要求についての利点を享受する。広告が伝送されるときに、送り状の決済は、クライアント連絡先に従って行うことができる。
【０２４１】
会社および広告代理店は、ターゲットグループ特有のマーケティングを簡単な方法で実施することができるという利点を享受する。広告は、特に興味とユーザプロファイルに従って出すことができ、この広告は、顧客のさらなる推薦を介して行うことができる。
【０２４２】
本発明のこれらの異なる実施形態は、複数の利点をもたらす。これらの実施形態は互いに組み合わせることができ、すなわちこれらの特徴は各用途の特定の要件に従って互いに補完し合うことが可能である。
【図面の簡単な説明】
【０２４３】
【図１】本発明が実施される、本発明の第1の好ましい実施形態による通信システムを概略的に示す図である。
【図２ａ】両方のユーザ局が同じプロバイダに属する場合に、発信側ユーザの通信ネットワーク中における追加情報の生成を概略的に示す図である。
【図２ｂ】両方のユーザ局が同じサービスプロバイダに属する場合に、ローミングパートナの通信ネットワーク中における追加情報の生成を概略的に示す図である。
【図３ａ】両方のユーザ局が異なるプロバイダに属し、国内コールが行われる場合に、発信側ユーザの通信ネットワーク中における追加情報の生成を概略的に示す図である。
【図３ｂ】両方のユーザ局が異なるプロバイダに属し、国内コールが行われる場合に、着信側ユーザの通信ネットワーク中における追加情報の生成を概略的に示す図である。
【図４ａ】両方のユーザ局が異なるプロバイダに属し、外国へのコールが行われる場合に、発信側ユーザの通信ネットワーク中における追加情報の生成を概略的に示す図である。
【図４ｂ】両方のユーザ局が異なるプロバイダに属し、外国へのコールが行われる場合に、着信側ユーザの通信ネットワーク中における追加情報の生成を概略的に示す図である。
【図４ｃ】両方のユーザ局が異なるプロバイダに属し、外国へのコールが行われる場合に、ローミングパートナの通信ネットワーク中における追加情報の生成を概略的に示す図である。
【図５】インターネットおよび/またはイントラネットが通信システムの一部分である、本発明の第2の好ましい実施形態による通信システムを概略的に示す図である。
【図６】オペレーションプロセス、およびユーザ局のディスプレイ上の対応するメニューコマンドを概略的に示す図である。
【図７】本発明の通信方法を実施することができる、本発明の第3の好ましい実施形態による通信システムの一例を概略的に示す図である。
【図８】問合せデータがコールの受信者に送信される好ましい実施形態による、本発明の通信方法のプロセスを概略的に示す図である。
【図９】問合せデータが発信側に送信される、本発明のさらなる好ましい実施形態による、本発明の通信方法のオペレーションプロセスを概略的に示す図である。
【図１０】本発明の方法を実施することができる、本発明の第4の好ましい実施形態による通信システムを概略的に示す図である。
【図１１】別の好ましい例による、発明の通信方法のプロセスを概略的に示す図である。
【符号の説明】
【０２４４】
10  通信システム
11  第1のユーザ局
11a  インターフェース
11b  データメモリ
12a  インターフェース
12b  データメモリ
12  第2のユーザ局
13  通信ネットワーク
14  追加情報装置
14a  追加情報メモリ
14b  問合せユニット
14c  選択回路
14d  加入者メモリ
15a  通信コンテキスト
15b  通信コンテキスト
16  スイッチングユニット
17  通信ネットワーク
17a  通信コンテキスト
17b  通信コンテキスト
18a  通信コンテキスト
18b  通信コンテキスト
18c  通信コンテキスト
19  通信ネットワーク
20  通信ネットワーク
30  通信システム
31  通信ネットワーク
32  通信ネットワーク
33  通信ネットワーク
34  追加情報装置
35  追加情報装置
81  問合せデータ
82  問合せデータ
91  応答信号
92  応答信号
200  通信システム
300  通信システム
【図３ａ】
2007500460.tif 000003
【図３ｂ】
2007500460.tif 000004
【図１】
2007500460.tif 000005
【図２ａ】
2007500460.tif 000006
【図２ｂ】
2007500460.tif 000007
【図４ａ】
2007500460.tif 000008
【図４ｂ】
2007500460.tif 000009
【図４ｃ】
2007500460.tif 000010
【図５】
2007500460.tif 000011
【図６】
2007500460.tif 000012
【図７】
2007500460.tif 000013
【図８】
2007500460.tif 000014
【図９】
2007500460.tif 000015
【図１０】
2007500460.tif 000016
【図１１】
2007500460.tif 000017
【国際調査報告】
2007500460.tif 000018
2007500460.tif 000019
2007500460.tif 000020
2007500460.tif 000021
2007500460.tif 000022
2007500460.tif 000023